(57)【要約】【課題】予算、および、非地理的条件に基づいて適切な旅行プランを提案することができるナビゲーション装置、ナビゲーションシステム、ナビゲーションサーバ、ナビゲーション方法、および、プログラムを提供することを課題とする。【解決手段】本発明は、旅行予算と、非地理的要素の優先度と、を含む検索条件を取得し、取得された検索条件を満たす、旅行商品情報を検索し、検索された旅行商品情報に含まれる要素情報に基づき、当該旅行商品情報を出力部を介して比較可能に出力させる。【選択図】図１０
2015181019.tif 000002
【特許請求の範囲】
【請求項１】
旅行商品の価格と、当該旅行商品に設定された旅行を構成する地理的要素および非地理的要素に関する要素情報と、を含む旅行商品情報を記憶する旅行商品情報記憶手段と、
上記旅行商品情報に含まれる上記価格および上記非地理的要素の優先度に基づいて、上記地理的要素に含まれる目的地で絞り込みを行うことなく、検索条件を満たす上記旅行商品情報を検索する旅行商品情報検索手段と、
上記旅行商品情報検索手段により検索された上記旅行商品情報を出力させる旅行商品情報出力手段と、
を備えたことを特徴とする、ナビゲーションシステム。
【発明の詳細な説明】
【技術分野】
【０００１】
本発明は、ナビゲーションシステム、ナビゲーション方法、および、プログラムに関する。
【背景技術】
【０００２】
従来から、旅行商品を検索する技術が開示されている。
【０００３】
例えば、特許文献１に記載の旅行計画作成システムにおいては、ユーザにより指定された出発地、方面、および、予算等の旅行条件に基づき、旅行計画を作成する技術が開示されている。
【０００４】
また、特許文献２に記載の旅行日程作成方法においては、旅行期間、出発地、および、目的地からツアー計画を策定する技術が開示されている。
【先行技術文献】
【特許文献】
【０００５】
【特許文献１】特開２０００−８２０９６号公報
【特許文献２】特開２００２−８３１８６号公報
【発明の概要】
【発明が解決しようとする課題】
【０００６】
しかしながら、特許文献１および２に記載の従来の旅行計画作成方法においては、ユーザが目的地を指定しなければならないため、旅先がユーザにとって既知の地点である目的地に限定されてしまうという問題点を有していた。そのため、当該従来の旅行計画作成方法においては、目的地等の地理的条件以外のユーザの目的に合った旅行計画を提案することができないという問題点を有していた。
【０００７】
本発明は、上記問題点に鑑みてなされたもので、予算、および、非地理的条件に基づいて適切な旅行プランを提案することができるナビゲーション装置、ナビゲーションシステム、ナビゲーションサーバ、ナビゲーション方法、および、プログラムを提供することを目的とする。
【課題を解決するための手段】
【０００８】
このような目的を達成するため、本発明のナビゲーション装置は、出力部と制御部と記憶部とを少なくとも備えたナビゲーション装置であって、上記記憶部は、旅行商品の価格と、当該旅行商品に設定された旅行を構成する地理的要素および非地理的要素に関する要素情報と、を含む旅行商品情報を記憶する旅行商品情報記憶手段、を備え、上記制御部は、旅行予算と、上記非地理的要素の優先度と、を含む検索条件を取得する検索条件取得手段と、上記検索条件取得手段により取得された上記検索条件を満たす、上記旅行商品情報記憶手段に記憶された上記旅行商品情報を検索する旅行商品情報検索手段と、上記旅行商品情報検索手段により検索された上記旅行商品情報に含まれる上記要素情報に基づき、当該旅行商品情報を上記出力部を介して比較可能に出力させる旅行商品情報出力手段と、を備えたことを特徴とする。
【０００９】
また、本発明のナビゲーション装置は、上記記載のナビゲーション装置において、上記非地理的要素に関する上記要素情報は、上記旅行に利用される施設に関する施設情報、および、上記旅行に利用される移動手段に関する移動手段情報を含むことを特徴とする。
【００１０】
また、本発明のナビゲーション装置は、上記記載のナビゲーション装置において、上記施設情報は、上記施設の施設名称、および、当該施設に対して設定されたランクに関するランク情報を含み、上記旅行商品情報出力手段は、上記旅行商品情報検索手段により検索された上記旅行商品情報に含まれる上記施設情報に含まれる上記ランク情報に基づき、当該旅行商品情報を上記出力部を介して比較可能に出力させることを特徴とする。
【００１１】
また、本発明のナビゲーション装置は、上記記載のナビゲーション装置において、上記非地理的要素の上記優先度は、上記ランクであり、上記旅行商品情報検索手段は、上記検索条件取得手段により取得された上記検索条件を満たす、当該検索条件に含まれる上記ランクに合致する上記施設の上記施設情報を含む上記旅行商品情報を検索することを特徴とする。
【００１２】
また、本発明のナビゲーション装置は、上記記載のナビゲーション装置において、上記施設情報は、上記施設の施設名称、および、当該施設における平均利用金額を含み、上記旅行商品情報出力手段は、上記旅行商品情報検索手段により検索された上記旅行商品情報に含まれる上記施設情報に含まれる上記平均利用金額に基づき、当該旅行商品情報を上記出力部を介して比較可能に出力させることを特徴とする。
【００１３】
また、本発明のナビゲーション装置は、上記記載のナビゲーション装置において、上記非地理的要素の上記優先度は、上記施設における利用可能予算額であり、上記旅行商品情報検索手段は、上記検索条件取得手段により取得された上記検索条件を満たす、当該検索条件に含まれる上記利用可能予算額に合致する上記平均利用金額の上記施設の上記施設情報を含む上記旅行商品情報を検索することを特徴とする。
【００１４】
また、本発明のナビゲーション装置は、上記記載のナビゲーション装置において、上記利用可能予算額は、下限予算額、上限予算額、または、平均予算額であることを特徴とする。
【００１５】
また、本発明のナビゲーション装置は、上記記載のナビゲーション装置において、上記記憶部は、上記旅行を構成する上記地理的要素および上記非地理的要素に関する上記要素情報を記憶する旅行要素情報記憶手段と、交通網を規定するネットワーク情報を記憶するネットワーク情報記憶手段と、を更に備え、上記施設情報は、上記施設の位置情報、および、上記施設の属性情報を含み、上記制御部は、上記旅行商品情報検索手段により検索された上記旅行商品情報に含まれる上記施設情報に含まれる上記位置情報に基づく施設位置、および／または、上記属性情報に基づく施設属性の類似する上記施設の、上記旅行要素情報記憶手段に記憶された上記施設情報を検索する施設情報検索手段と、上記施設情報検索手段により検索された上記施設情報に基づく上記施設間の施設間経路を、上記ネットワーク情報記憶手段に記憶された上記ネットワーク情報を用いて探索し、当該施設間経路に対応する、上記旅行要素情報記憶手段に記憶された上記移動手段情報を取得する施設間経路探索手段と、上記施設情報検索手段により検索された上記施設情報、および、上記施設間経路探索手段により取得された上記移動手段情報を含む上記要素情報を含む旅行計画情報を生成する旅行計画情報生成手段と、を更に備え、上記旅行商品情報出力手段は、更に、上記旅行計画情報生成手段により生成された上記旅行計画情報に含まれる上記要素情報に基づき、当該旅行計画情報を上記出力部を介して比較可能に出力させることを特徴とする。
【００１６】
また、本発明のナビゲーション装置は、上記記載のナビゲーション装置において、上記制御部は、上記旅行商品情報出力手段により出力された上記旅行商品情報、または、上記旅行計画情報の予約を行う予約手段、を更に備えたことを特徴とする。
【００１７】
また、本発明のナビゲーション装置は、上記記載のナビゲーション装置において、上記ナビゲーション装置は、入力部、を更に備え、上記検索条件取得手段は、上記入力部を介して上記旅行予算と上記非地理的要素の上記優先度とを含む上記検索条件が入力された場合、当該検索条件を取得することを特徴とする。
【００１８】
また、本発明のナビゲーション装置は、上記記載のナビゲーション装置において、上記非地理的要素の上記優先度は、上記旅行予算における上記各要素の内訳金額であることを特徴とする。
【００１９】
また、本発明のナビゲーション装置は、上記記載のナビゲーション装置において、上記非地理的要素の上記優先度は、上記旅行予算における上記各要素の占める割合であることを特徴とする。
【００２０】
また、本発明のナビゲーション装置は、上記記載のナビゲーション装置において、上記出力部は、表示部を含み、上記記憶部は、地図の地図情報を記憶する地図情報記憶手段、を更に備え、上記旅行商品情報出力手段は、上記旅行商品情報検索手段により検索された上記旅行商品情報に含まれる上記要素情報に基づき、上記地図情報記憶手段に記憶された上記地図情報上に、当該旅行商品情報を重畳させて上記表示部に比較可能に表示させることを特徴とする。
【００２１】
また、本発明のナビゲーションシステムは、旅行商品の価格と、当該旅行商品に設定された旅行を構成する地理的要素および非地理的要素に関する要素情報と、を含む旅行商品情報を記憶する旅行商品情報記憶手段と、旅行予算と、上記非地理的要素の優先度と、を含む検索条件を取得する検索条件取得手段と、上記検索条件取得手段により取得された上記検索条件を満たす、上記旅行商品情報記憶手段に記憶された上記旅行商品情報を検索する旅行商品情報検索手段と、上記旅行商品情報検索手段により検索された上記旅行商品情報に含まれる上記要素情報に基づき、当該旅行商品情報を出力部を介して比較可能に出力させる旅行商品情報出力手段と、を備えたことを特徴とする。
【００２２】
また、本発明のナビゲーションシステムは、制御部と記憶部とを少なくとも備えたナビゲーションサーバ、および、出力部と制御部とを少なくとも備えた端末装置、を通信可能に接続したナビゲーションシステムであって、上記ナビゲーションサーバの上記記憶部は、旅行商品の価格と、当該旅行商品に設定された旅行を構成する地理的要素および非地理的要素に関する要素情報と、を含む旅行商品情報を記憶する旅行商品情報記憶手段、を備え、上記ナビゲーションサーバの上記制御部は、上記端末装置から送信される旅行予算と、上記非地理的要素の優先度と、を含む検索条件を満たす、上記旅行商品情報記憶手段に記憶された上記旅行商品情報を検索する旅行商品情報検索手段と、上記旅行商品情報検索手段により検索された上記旅行商品情報を上記端末装置に送信する旅行商品情報送信手段と、を備え、上記端末装置の上記制御部は、上記ナビゲーションサーバから送信される上記旅行商品情報を受信する旅行商品情報受信手段と、上記旅行商品情報受信手段により受信された上記旅行商品情報に含まれる上記要素情報に基づき、当該旅行商品情報を上記出力部を介して比較可能に出力させる旅行商品情報出力手段と、を備えたことを特徴とする。
【００２３】
また、本発明のナビゲーションサーバは、出力部を少なくとも備えた端末装置に通信可能に接続された、制御部と記憶部とを少なくとも備えたナビゲーションサーバであって、上記記憶部は、旅行商品の価格と、当該旅行商品に設定された旅行を構成する地理的要素および非地理的要素に関する要素情報と、を含む旅行商品情報を記憶する旅行商品情報記憶手段、を備え、上記制御部は、上記端末装置から送信される旅行予算と、上記非地理的要素の優先度と、を含む検索条件を満たす、上記旅行商品情報記憶手段に記憶された上記旅行商品情報を検索する旅行商品情報検索手段と、上記旅行商品情報検索手段により検索された上記旅行商品情報に含まれる上記要素情報に基づき、当該旅行商品情報を比較可能に表示させる表示情報を生成する表示情報生成手段と、上記表示情報を含む出力制御情報を上記端末装置へ送信することにより、当該端末装置の上記出力部を介して当該出力制御情報を出力させる出力制御手段と、を備えたことを特徴とする。
【００２４】
また、本発明のナビゲーション方法は、出力部と制御部と記憶部とを少なくとも備えたナビゲーション装置において実行されるナビゲーション方法であって、上記記憶部は、旅行商品の価格と、当該旅行商品に設定された旅行を構成する地理的要素および非地理的要素に関する要素情報と、を含む旅行商品情報を記憶する旅行商品情報記憶手段、を備え、上記制御部において実行される、旅行予算と、上記非地理的要素の優先度と、を含む検索条件を取得する検索条件取得ステップと、上記検索条件取得ステップにて取得された上記検索条件を満たす、上記旅行商品情報記憶手段に記憶された上記旅行商品情報を検索する旅行商品情報検索ステップと、上記旅行商品情報検索ステップにて検索された上記旅行商品情報に含まれる上記要素情報に基づき、当該旅行商品情報を上記出力部を介して比較可能に出力させる旅行商品情報出力ステップと、を含むことを特徴とする。
【００２５】
また、本発明のナビゲーション方法は、ナビゲーションシステムにおいて実行されるナビゲーション方法であって、上記ナビゲーションシステムは、旅行商品の価格と、当該旅行商品に設定された旅行を構成する地理的要素および非地理的要素に関する要素情報と、を含む旅行商品情報を記憶する旅行商品情報記憶手段と、検索条件取得手段と、旅行商品情報検索手段と、旅行商品情報出力手段と、を備え、上記検索条件取得手段が、旅行予算と、上記非地理的要素の優先度と、を含む検索条件を取得する検索条件取得ステップと、上記旅行商品情報検索手段が、上記検索条件取得ステップにて取得された上記検索条件を満たす、上記旅行商品情報記憶手段に記憶された上記旅行商品情報を検索する旅行商品情報検索ステップと、上記旅行商品情報出力手段が、上記旅行商品情報検索ステップにて検索された上記旅行商品情報に含まれる上記要素情報に基づき、当該旅行商品情報を出力部を介して比較可能に出力させる旅行商品情報出力ステップと、を含むことを特徴とする。
【００２６】
また、本発明のナビゲーション方法は、制御部と記憶部とを少なくとも備えたナビゲーションサーバ、および、出力部と制御部とを少なくとも備えた端末装置、を通信可能に接続したナビゲーションシステムにおいて実行されるナビゲーション方法であって、上記ナビゲーションサーバの上記記憶部は、旅行商品の価格と、当該旅行商品に設定された旅行を構成する地理的要素および非地理的要素に関する要素情報と、を含む旅行商品情報を記憶する旅行商品情報記憶手段、を備え、上記ナビゲーションサーバの上記制御部において実行される、上記端末装置から送信される旅行予算と、上記非地理的要素の優先度と、を含む検索条件を満たす、上記旅行商品情報記憶手段に記憶された上記旅行商品情報を検索する旅行商品情報検索ステップと、上記ナビゲーションサーバの上記制御部において実行される、上記旅行商品情報検索ステップにて検索された上記旅行商品情報を上記端末装置に送信する旅行商品情報送信ステップと、上記端末装置の上記制御部において実行される、上記ナビゲーションサーバから送信される上記旅行商品情報を受信する旅行商品情報受信ステップと、上記端末装置の上記制御部において実行される、上記旅行商品情報受信ステップにて受信された上記旅行商品情報に含まれる上記要素情報に基づき、当該旅行商品情報を上記出力部を介して比較可能に出力させる旅行商品情報出力ステップと、を含むことを特徴とする。
【００２７】
また、本発明のナビゲーション方法は、出力部を少なくとも備えた端末装置に通信可能に接続された、制御部と記憶部とを少なくとも備えたナビゲーションサーバにおいて実行されるナビゲーション方法であって、上記記憶部は、旅行商品の価格と、当該旅行商品に設定された旅行を構成する地理的要素および非地理的要素に関する要素情報と、を含む旅行商品情報を記憶する旅行商品情報記憶手段、を備え、上記制御部において実行される、上記端末装置から送信される旅行予算と、上記非地理的要素の優先度と、を含む検索条件を満たす、上記旅行商品情報記憶手段に記憶された上記旅行商品情報を検索する旅行商品情報検索ステップと、上記旅行商品情報検索ステップにて検索された上記旅行商品情報に含まれる上記要素情報に基づき、当該旅行商品情報を比較可能に表示させる表示情報を生成する表示情報生成ステップと、上記表示情報を含む出力制御情報を上記端末装置へ送信することにより、当該端末装置の上記出力部を介して当該出力制御情報を出力させる出力制御ステップと、を含むことを特徴とする。
【００２８】
また、本発明のプログラムは、出力部と制御部と記憶部とを少なくとも備えたナビゲーション装置に実行させるためのプログラムであって、上記記憶部は、旅行商品の価格と、当該旅行商品に設定された旅行を構成する地理的要素および非地理的要素に関する要素情報と、を含む旅行商品情報を記憶する旅行商品情報記憶手段、を備え、上記制御部において、旅行予算と、上記非地理的要素の優先度と、を含む検索条件を取得する検索条件取得ステップと、上記検索条件取得ステップにて取得された上記検索条件を満たす、上記旅行商品情報記憶手段に記憶された上記旅行商品情報を検索する旅行商品情報検索ステップと、上記旅行商品情報検索ステップにて検索された上記旅行商品情報に含まれる上記要素情報に基づき、当該旅行商品情報を上記出力部を介して比較可能に出力させる旅行商品情報出力ステップと、を実行させることを特徴とする。
【００２９】
また、本発明のプログラムは、端末装置に通信可能に接続された、制御部と記憶部とを少なくとも備えたナビゲーションサーバに実行させるためのプログラムであって、上記記憶部は、旅行商品の価格と、当該旅行商品に設定された旅行を構成する地理的要素および非地理的要素に関する要素情報と、を含む旅行商品情報を記憶する旅行商品情報記憶手段、を備え、上記制御部において、上記端末装置から送信される旅行予算と、上記非地理的要素の優先度と、を含む検索条件を満たす、上記旅行商品情報記憶手段に記憶された上記旅行商品情報を検索する旅行商品情報検索ステップと、上記旅行商品情報検索ステップにて検索された上記旅行商品情報を上記端末装置に送信する旅行商品情報送信ステップと、を実行させることを特徴とする。
【００３０】
また、本発明のプログラムは、出力部を少なくとも備えた端末装置に通信可能に接続された、制御部と記憶部とを少なくとも備えたナビゲーションサーバに実行させるためのプログラムであって、上記記憶部は、旅行商品の価格と、当該旅行商品に設定された旅行を構成する地理的要素および非地理的要素に関する要素情報と、を含む旅行商品情報を記憶する旅行商品情報記憶手段、を備え、上記制御部において、上記端末装置から送信される旅行予算と、上記非地理的要素の優先度と、を含む検索条件を満たす、上記旅行商品情報記憶手段に記憶された上記旅行商品情報を検索する旅行商品情報検索ステップと、上記旅行商品情報検索ステップにて検索された上記旅行商品情報に含まれる上記要素情報に基づき、当該旅行商品情報を比較可能に表示させる表示情報を生成する表示情報生成ステップと、上記表示情報を含む出力制御情報を上記端末装置へ送信することにより、当該端末装置の上記出力部を介して当該出力制御情報を出力させる出力制御ステップと、を実行させることを特徴とする。
【発明の効果】
【００３１】
この発明によれば、旅行予算と、非地理的要素の優先度と、を含む検索条件を取得し、取得された検索条件を満たす、旅行商品情報を検索し、検索された旅行商品情報に含まれる要素情報に基づき、当該旅行商品情報を出力部を介して比較可能に出力させるので、目的地を決めずに旅行プランを探す際に、ユーザの希望する予算で嗜好に合致した旅行プランを提供することができるという効果を奏する。
【００３２】
また、この発明によれば、非地理的要素に関する要素情報は、旅行に利用される施設に関する施設情報、および、旅行に利用される移動手段に関する移動手段情報を含むので、宿泊施設、食事施設、観光施設、および、利用交通機関等の優先度に基づいて、旅行商品情報を検索することができるという効果を奏する。
【００３３】
また、この発明によれば、施設情報は、施設の施設名称、および、当該施設に対して設定されたランクに関するランク情報を含み、検索された旅行商品情報に含まれる施設情報に含まれるランク情報に基づき、当該旅行商品情報を出力部を介して比較可能に出力させるので、口コミまたはユーザ評価等による施設のランクに紐づけた検索結果が出力させることができるという効果を奏する。
【００３４】
また、この発明によれば、非地理的要素の優先度は、ランクであり、取得された検索条件を満たす、当該検索条件に含まれるランクに合致する施設の施設情報を含む旅行商品情報を検索するので、旅行商品に含まれる施設のランクから検索条件に合致した旅行商品のみを検索することができ、旅行に対してよりユーザの嗜好を反映させることができるという効果を奏する。
【００３５】
また、この発明によれば、施設情報は、施設の施設名称、および、当該施設における平均利用金額を含み、検索された旅行商品情報に含まれる施設情報に含まれる平均利用金額に基づき、当該旅行商品情報を出力部を介して比較可能に出力させるので、旅行商品に含まれる施設の平均利用金額を紐づけた検索結果を提供することができるという効果を奏する。
【００３６】
また、この発明によれば、非地理的要素の優先度は、施設における利用可能予算額であり、取得された検索条件を満たす、当該検索条件に含まれる利用可能予算額に合致する平均利用金額の施設の施設情報を含む旅行商品情報を検索するので、旅行を計画する段階で旅行時に実際に出費する費用に近い予算の旅行商品を検索結果として提供することができるという効果を奏する。
【００３７】
また、この発明によれば、利用可能予算額は、下限予算額、上限予算額、または、平均予算額であるので、ユーザの使える予算に応じて格安ツアーから豪華ツアーまで検索結果として提供することができるという効果を奏する。
【００３８】
また、この発明によれば、施設の位置情報、および、施設の属性情報を含み、検索された旅行商品情報に含まれる施設情報に含まれる位置情報に基づく施設位置、および／または、属性情報に基づく施設属性の類似する施設の施設情報を検索し、検索された施設情報に基づく施設間の施設間経路を、ネットワーク情報を用いて探索し、当該施設間経路に対応する移動手段情報を取得し、検索された施設情報、および、取得された移動手段情報を含む要素情報を含む旅行計画情報を生成し、更に、生成された旅行計画情報に含まれる要素情報に基づき、当該旅行計画情報を出力部を介して比較可能に出力させるので、検索された旅行商品と類似するオリジナルツアーを検索結果として提供することができるという効果を奏する。
【００３９】
また、この発明によれば、出力された旅行商品情報、または、旅行計画情報の予約を行うので、旅行商品の検索から予約までの処理を円滑に自動的に行うことができるという効果を奏する。
【００４０】
また、この発明によれば、入力部を介して旅行予算と非地理的要素の優先度とを含む検索条件が入力された場合、当該検索条件を取得するので、ユーザのアクションに応じて旅行商品の検索を開始することができるという効果を奏する。
【００４１】
また、この発明によれば、非地理的要素の優先度は、旅行予算における各要素の内訳金額であるので、旅行予算における各要素の分配金額を把握しながらユーザが設定することができるという効果を奏する。
【００４２】
また、この発明によれば、非地理的要素の優先度は、旅行予算における各要素の占める割合であるので、旅行予算における各要素の分配金額をスライドバー等による指定によって割合としてユーザが設定することができるという効果を奏する。
【００４３】
また、この発明によれば、検索された旅行商品情報に含まれる要素情報に基づき、地図情報上に、当該旅行商品情報を重畳させて表示部に比較可能に表示させるので、検索結果に基づく旅行をユーザがイメージしやすくなるという効果を奏する。
【００４４】
なお、上記において、本発明のナビゲーション装置を一例に効果の説明をしたが、端末装置、ナビゲーションシステム、ナビゲーションサーバ、ナビゲーション方法、および、プログラムにおいても同様の効果を奏する。
【図面の簡単な説明】
【００４５】
【図１】図１は、第１の実施形態におけるナビゲーションシステムの構成の一例を示すブロック図である。
【図２】図２は、第１の実施形態におけるナビゲーションシステムの処理の一例を示すフローチャートである。
【図３】図３は、本実施形態における入力画面の一例を示す図である。
【図４】図４は、本実施形態における入力画面の一例を示す図である。
【図５】図５は、本実施形態における入力画面の一例を示す図である。
【図６】図６は、本実施形態における旅行商品情報の一例を示す図である。
【図７】図７は、本実施形態における施設情報の一例を示す図である。
【図８】図８は、本実施形態における施設情報の一例を示す図である。
【図９】図９は、本実施形態における表示画面の一例を示す図である。
【図１０】図１０は、本実施形態における表示画面の一例を示す図である。
【図１１】図１１は、本実施形態における表示画面の一例を示す図である。
【図１２】図１２は、第２の実施形態におけるナビゲーションサーバの構成の一例を示すブロック図である。
【図１３】図１３は、第２の実施形態におけるナビゲーションサーバの処理の一例を示すフローチャートである。
【図１４】図１４は、第３の実施形態におけるナビゲーション装置の構成の一例を示すブロック図である。
【図１５】図１５は、第３の実施形態におけるナビゲーション装置の処理の一例を示すフローチャートである。
【発明を実施するための形態】
【００４６】
以下に、本発明にかかるナビゲーションシステム、端末装置、ナビゲーションサーバ、ナビゲーション装置、ナビゲーション方法、および、プログラムの実施の形態を図面に基づいて詳細に説明する。なお、この実施の形態によりこの発明が限定されるものではない。
【００４７】
以下、本発明の構成および処理について、第１の実施形態（ナビゲーションシステム）、第２の実施形態（ナビゲーションサーバ（サーバ主導型））、第３の実施形態（ナビゲーション装置（スタンドアローン型））の順にて詳細に説明する。
【００４８】
［第１の実施形態］
最初に、本発明の第１の実施形態（ナビゲーションシステム）について、図１乃至図１１を参照して以下に説明する。但し、以下に示す第１の実施形態は、本発明の技術思想を具体化するためのナビゲーションシステムを例示するものであって、本発明をこのナビゲーションシステムに特定することを意図するものではなく、特許請求の範囲に含まれるその他の実施形態のナビゲーションシステムにも等しく適用し得るものである。例えば、第１の実施形態で例示するナビゲーションシステムにおけるサーバ側と端末側の機能分散の形態は以下に限られず、同様の効果や機能を奏し得る範囲において、任意の単位で機能的または物理的に分散・統合して構成することができる。
【００４９】
［ナビゲーションシステムの構成］  まず、第１の実施形態におけるナビゲーションシステムの構成の一例について、図１を参照して以下に説明する。図１は、第１の実施形態におけるナビゲーションシステムの構成の一例を示すブロック図であり、該構成のうち本発明に関係する部分のみを概念的に示している。なお、本実施形態においては、通信型のナビゲーションを提供するナビゲーションシステムを具体例として説明するが、本発明はこれに限ることなく、スタンドアローンタイプのナビゲーションシステムなどにも適用可能である。
【００５０】
図１に示すように、第１の実施形態のナビゲーションシステムは、概略的に、地図情報提供および経路探索等を行うことができるナビゲーションサーバ２００、および、単数または複数の経路案内アプリケーションおよび乗換案内アプリケーション等を搭載した端末装置１００、を通信可能に接続して構成される。ここで、図１に示すように、通信には、一例として、ネットワーク３００を介した有線・無線通信等の遠隔通信等を含む。また、これらナビゲーションシステムの各部は任意の通信路を介して通信可能に接続されている。
【００５１】
図１に示すように、第１の実施形態のナビゲーションシステムにおいて、ナビゲーションサーバ２００は、概略的に、制御部２０２と記憶部２０６とを少なくとも備えており、端末装置１００は、位置取得部１１２と出力部（表示部１１４および音声出力部１１６）と入力部１１８と制御部１０２と記憶部１０６とを少なくとも備える。
【００５２】
［ナビゲーションサーバ２００の構成］
ここで、図１において、ナビゲーションサーバ２００は、端末装置１００から送信される旅行予算と、非地理的要素の優先度と、を含む検索条件を満たす、旅行商品情報を検索し、検索された旅行商品情報を端末装置１００に送信する等の機能を有する。ナビゲーションサーバ２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、ナビゲーションサーバ２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置およびＳＳＤ（Ｓｏｌｉｄ  Ｓｔａｔｅ  Ｄｒｉｖｅ）等のストレージ手段であり、各種のデータベースやテーブル（旅行商品情報データベース２０６ａ、旅行要素情報データベース２０６ｂ、ネットワーク情報データベース２０６ｃ、および、地図情報データベース２０６ｄ等）を格納する。
【００５３】
これら記憶部２０６の各構成要素のうち、旅行商品情報データベース２０６ａは、旅行商品の価格と、当該旅行商品に設定された旅行を構成する地理的要素および非地理的要素に関する要素情報と、を含む旅行商品情報を記憶する旅行商品情報記憶手段である。ここで、非地理的要素に関する要素情報は、旅行に利用される施設に関する施設情報、旅行に利用される移動手段に関する移動手段情報、および、旅行先における観光に関する観光情報等を含んでいてもよい。ここで、施設情報は、施設の施設名称、当該施設に対して設定されたランクに関するランク情報、当該施設における平均利用金額、施設の位置情報、および、施設の属性情報（例えば、ＩＤ、および、名称等）を含んでいてもよい。また、施設とは、宿泊施設（例えば、ホテル、旅館、民宿、コテージ、バンガロー、貸別荘、コンドミニアム、ウィークリーマンション、モーテル、国民宿舎、ペンション、ロッジ、および、ユースホステル等）、食事施設（レストラン、喫茶店、バー、および、料亭等）、観光施設（遊園地、動物園、水族館、美術館、博物館、公園、名所、旧跡、寺社仏閣、イベント会場、カジノ、および、競馬場等）、および、交通機関乗降施設（駅、停留場、停車場、停留所、空港、港、および、ターミナル等）などであってもよい。また、移動手段とは、徒歩、自転車、自動車、鉄道、飛行機、バス、および、船等であってもよい。また、移動手段情報は、移動手段の名称、当該移動手段に対して設定されたランクに関するランク情報、当該移動手段における利用金額、および、移動手段の属性情報を含んでいてもよい。また、観光情報とは、オプショナルツアー（例えば、現地観光ツアーおよび現地体験ツアー等の旅行先発着の小旅行など）に関する旅行商品情報であってもよく、当該観光に関する位置情報、および、属性情報等を含んでいてもよい。また、旅行商品とは、パッケージツアー、および、オプショナルツアー等であってもよい。また、旅行商品情報は、旅行商品の属性情報を含んでいてもよい。また、地理的要素に関する要素情報は、出発地、経由地（例えば、駅および空港などの経由施設等）、および、目的地等の位置情報、ならびに、各地点間の経路情報等を含んでいてもよい。また、旅行商品情報データベース２０６ａは、旅行予算と非地理的要素の優先度とを含む検索条件を入力するための表示情報である入力画面を記憶していてもよい。
【００５４】
また、旅行要素情報データベース２０６ｂは、旅行を構成する地理的要素および非地理的要素に関する要素情報を記憶する旅行要素情報記憶手段である。
【００５５】
また、ネットワーク情報データベース２０６ｃは、交通網を規定するネットワーク情報を記憶するネットワーク情報記憶手段である。ここで、ネットワーク情報は、交通網表現上の結節点であるノードと、当該ノード間を接続するリンクと、の組み合わせによって表現されるネットワークに関する情報であってもよい。また、ネットワーク情報は、道路ネットワーク情報、路線網ネットワーク情報、および、施設内ネットワーク情報を含んでいてもよい。これらネットワーク情報は、ネットワーク情報データベース２０６ｃに予め記憶されており、ナビゲーションサーバ２００の制御部２０２は、定期的にネットワーク３００を介して最新のデータを外部機器（例えば、地図情報を提供する地図提供サーバなど）等からダウンロードしてネットワーク情報データベース２０６ｃに記憶されたネットワーク情報をアップデートしてもよい。
【００５６】
ここで、ネットワーク情報に含まれる道路ネットワーク情報は、道路網を規定するネットワーク情報であり、例えば、交差点等の道路網表現上の結節点であるノードのノードデータと、ノード間の道路区間であるリンクのリンクデータとの組み合わせによって表現されるネットワーク情報である。ここで、ノードデータには、ノード番号（例えば、ノードＩＤ等）、ノードの名称、緯度経度高度等の位置座標、ノード種別、接続するリンク本数、接続ノード番号、および、交差点名称等の情報を含んでいてもよい。また、リンクデータには、リンク番号（例えば、リンクＩＤ等）、開始ノードＩＤ、終了ノードＩＤ、道路の種別、国道や県道や市道等の路線番号、重用する路線情報、リンクの存在する行政区域の属性情報、リンク長（例えば、距離等）、道路供用状況、異常気象時通行規制区間、車重制限、車両高さ制限、幅員、道路幅員区分、レーン情報（例えば、車線数、路線バス専用通行帯、二輪専用通行帯、および二輪・軽車両専用通行帯等の専用通行帯、路線バス等優先通行帯、車両通行区分、ならびに、進行方向別通行区分などについての車両通行帯情報等）、制限速度、車線変更規制、高架、トンネルおよび橋等のリンク内属性、ならびに、名称等の情報を含んでいてもよい。また、道路ネットワーク情報は、利用料金データ等を含んでいてもよい。ここで、利用料金データは、自動車およびオートバイ等で移動する場合に消費する燃料料金、ならびに、高速自動車国道および自動車専用道路等の有料道路の通行料金等を表す情報等であってもよい。また、道路ネットワーク情報は、自動車、オートバイ、自転車、および、徒歩等で移動する場合の経路上に存在する施設等の緯度経度情報などの位置情報等を記憶してもよい。
【００５７】
また、道路ネットワーク情報は、道路交通情報を含んでいてもよい。ここで、道路交通情報は、交通障害情報や交通規制情報等を含んでいてもよい。ここで、交通規制情報は、各種の交通規制を定義するデータであり、例えば、降水量規制、積雪・凍結規制、超波規制、風速規制、および視程規制等の異常気象時通行規制、高さ規制および重量規制等の車両通行規制、道路工事や作業、道路周辺の工事に伴う工事時規制、時間帯や車種により通行できる通行帯を規制している通行帯規制および道路の損壊等による車両通行止、交通の安全を確保するために設置されるコミュニティ・ゾーン等による一般車の進入禁止、ならびに、私有地への接続路であることによる一般車の進入禁止等の情報などを含んでもよい。また、交通規制情報は、工事、事故、または、車両故障等により車両通行帯等が走行不能または走行困難となる通行規制情報であってもよい。
【００５８】
また、ネットワーク情報に含まれる路線網ネットワーク情報は、鉄道、飛行機、バス、および、船等の各交通機関（例えば、公共交通機関等）の路線網を規定するネットワーク情報であり、例えば、路線網表現上の結節点であるノード（例えば、交通機関の停留地点である駅、停留場、停車場、停留所、空港、港、および、ターミナル等）のノードデータと、ノード間を接続する鉄道路線、航空路線、航路、および、バス路線等のリンクのリンクデータとの組み合わせによって表現されるネットワーク情報である。ここで、路線とは、交通機関が通過する出発地と目的地とを結ぶ線であってもよい。また、鉄道とは、ルート上に設置された固定式案内路（レール、および案内軌条など）等に誘導されて走行し、旅客や貨物等を輸送する交通機関であり、例えば、電車、市電、ロープウェイ、モノレール、ケーブルカー、および、リニアモーターカー等であってもよい。また、ノードデータには、ノード番号（例えば、ノードＩＤ等）、ノードの名称（例えば、交通機関の停留地点の名称である駅名、停留場名、停車場名、停留所名、空港名、港名、および、ターミナルの名称等）、および、緯度経度高度などの情報を含んでいてもよい。また、リンクデータには、リンク番号（例えば、リンクＩＤ等）、開始ノードＩＤ、終了ノードＩＤ、種別、リンク長（例えば、距離等）、高架、トンネルおよび橋等のリンク内属性、ノードの名称（例えば、路線名など）、ならびに、緯度経度高度などの位置情報等の情報を含んでいてもよい。また、路線網ネットワーク情報は、更に、交通機関の種別（例えば、特急、急行、準急、快速、快速急行、通勤特急、通勤快速、通勤急行、区間急行、区間準急、区間快速、各駅停車、および、普通など）に対応したノード（例えば、急行停車駅、準急停車駅、および、快速停車駅等）のノードデータと、当該ノード間を接続する鉄道路線、および、バス路線等のリンクのリンクデータとの組み合わせによって表現されるネットワーク情報を当該種別に対応付けて含んでいてもよい。
【００５９】
また、路線網ネットワーク情報は、交通機関の乗降場所（例えば、駅のプラットホーム等）の位置情報（例えば、緯度経度高度等）、形状情報、配置情報（例えば、島式ホームおよび相対式ホーム等）、および、属性情報（例えば、プラットホーム番号などの乗降場所の名称および識別番号等）などを含む乗降場所情報を含んでいてもよい。また、路線網ネットワーク情報は、交通機関の利用料金データを含んでいてもよい。ここで、利用料金データは、例えば、鉄道、飛行機、バス、および、船等の各交通機関を利用した場合に生じる利用料金等を表す情報等であってもよい。また、路線網ネットワーク情報は、乗車位置データを含んでいてもよい。ここで、乗車位置データは、例えば、電車、市電、モノレール、ケーブルカー、および、リニアモーターカー等の複数の車両が連結した交通機関の乗車位置（一例として、改札口に近い車両、乗換に便利な位置の車両、混雑率の低い車両、および、女性専用車両等）を表す情報等であってもよい。
【００６０】
また、路線網ネットワーク情報は、交通機関の運行情報（例えば、遅延情報等）を含んでいてもよく、例えば、運行情報は、鉄道運行情報、航空運行情報、船舶運行情報、および、バス運行情報等を含んでいてもよい。また、運行情報は、交通機関の時刻表情報（運行時刻情報）を含んでいてもよい。また、運行情報は、交通機関単位の時刻表情報（例えば、各交通機関が経由する停留地点の経由時刻を定めた時刻表情報等）であってもよく、停留所単位の時刻表情報（例えば、各停留地点を経由する交通機関の到着時刻を定めた時刻表情報等）であってもよい。なお、運行情報は、路線または運行便毎の、経由する停留所およびその経由予定時刻に関する情報を含んでいてもよい。ここで、時刻表情報は、鉄道、飛行機、バス、および、船等の各交通機関の時刻表を表す情報であってもよい。また、時刻表情報は、更に、交通機関の行先情報（例えば、最終行先情報など）、および、交通機関の種別を含む情報であってもよい。また、時刻表情報は、更に、路線上のノード（すなわち、交通機関の停留地点）における交通機関の発着時刻（例えば、出発、経由、および到着の予定時刻など）、交通機関の路線の名称、および、交通機関の路線上のノード（すなわち、交通機関の停留地点）の名称等の属性情報を含む情報であってもよい。また、時刻表情報は、交通機関の路線上のノードを結ぶ区間（例えば、一つまたは複数のリンク等）毎に対応付けられた交通機関の属性情報（例えば、種別および行先情報等）を含んでいてもよい。また、時刻表情報は、各交通機関の乗降に用いられる乗降場所の名称および識別番号（例えば、プラットホーム番号など）等の乗降場所の属性情報を含んでいてもよい。
【００６１】
また、ネットワーク情報に含まれる施設内ネットワーク情報は、施設内の経路網を規定するネットワーク情報である。ここで、施設内ネットワーク情報は、例えば、建造物内の店舗、会社、事務所、およびトイレ等の出入口、エレベータおよびエスカレータの乗降口、階段の出入口、飛行機等の搭乗口、駅のプラットホーム上の電車等の乗車位置、ならびに、駅の改札口等の、通路等を接続する結節点であるノードのノードデータと、ノード間を接続する通路、階段、動く歩道、エスカレータ、および、エレベータ等であるリンクのリンクデータとの組み合わせによって表現されるネットワーク情報である。ここで、ノードデータには、ノード番号（例えば、ノードＩＤ等）、ノードの名称（出入口名および乗降口名等）、緯度経度高度等の位置座標、ノード種別（例えば、出入口、乗降口、通路の曲がり角、および通路の分岐点等）、接続するリンク本数、および、接続ノード番号等の情報を含んでいてもよい。また、リンクデータには、リンク番号（例えば、リンクＩＤ等）、開始ノードＩＤ、終了ノードＩＤ、リンク長、幅員、リンク種別（例えば、ノード間を接続する通路、階段、スロープ、エスカレータ、エレベータ、および動く歩道など）、および、バリアフリー化の情報を含んでいてもよい。ここで、施設とは、駅、オフィスビル、ホテル、デパート、スーパーマーケット、博物館、美術館、学校、水族館、地下通路、立体駐車場、地下駐車場、および、地下街等の屋内建造物であってもよい。また、施設とは、バスターミナル、公園、遊園地、キャンプ場、連絡通路、屋外駐車場、および、動物園等の屋外建造物であってもよい。
【００６２】
また、地図情報データベース２０６ｄは、地図の地図情報を記憶する地図情報記憶手段である。ここで、地図情報は、複数の縮尺のラスタ形式の地図描画用の画像、または、ベクタ形式の地図描画用の画像等であってもよい。また、地図情報は、例えば、縮尺に従ってメッシュ化された地図情報（例えば、ＪＩＳ規格の第１〜３次地域区画メッシュデータ、および、１００ｍメッシュデータ等）等の屋外地図情報であってもよい。また、地図情報は、全国および各地方の道路地図や路線図等の屋外地図情報を含んでいてもよい。また、地図情報は、例えば、高さ情報を持つ建築物（例えば、立体駐車場、駅、デパート、および、学校等）に関するフロア案内地図等の屋内地図情報を更に含んでいてもよい。
【００６３】
また、地図情報データベース２０６ｄは、更に、地図上に表示される地図オブジェクトに関する地図オブジェクト情報を記憶していてもよい。ここで、地図オブジェクト情報は、地図上に表示される地物（例えば、ビル、住宅、および、駅等の建造物、道路、線路、橋、トンネル、等高線、海岸線、および、湖岸線等の水涯線、海、河川、湖、池、沼、公園、および、屋外施設等の場地、行政界、行政区域、ならびに、街区等）の形状についての形状情報（ポリゴン、または、ポリライン等）、地図上に表示される注記（例えば、地名、住所、電話番号、店舗、公園、ビル、および、駅等の施設名称、名所、旧跡、河川、湖、湾、山、および、森林等の俗称を含む名称、道路、橋、および、トンネル等の名称、路線名称、地点情報、ならびに、口コミ情報、施設の営業時間、店舗の取扱商品、ＵＲＬ、写真データ、ならびに、クーポン情報等）の注記情報、ならびに、地図上に表示される記号（例えば、山、史跡、寺社、官庁、警察署、交番、消防署、駅、医療機関、美術館、博物館、学校、工場、および、墓地等の地図記号、飲食店、食料品店、酒店、タバコ店、百貨店、ショッピングセンター、スーパーマーケット、コンビニエンスストア、ガソリンスタンド、金融機関、および、郵便局等の店舗記号、道路上の信号、有料道路の出入口、料金所、サービスエリア、パーキングエリア、および、インターチェンジ等の記号、駐車場、駅、ホテル、美術館、および、博物館等の施設記号、ならびに、口コミ地点記号等）の記号情報等のデータを含んでいてもよい。ここで、形状情報は、地図オブジェクト描画用の画像（例えば、ポリゴン、および、ポリライン等）を含んでいてもよい。
【００６４】
また、地図情報データベース２０６ｄは、更に、ＰＯＩ（ｐｏｉｎｔ  ｏｆ  ｉｎｔｅｒｅｓｔ）の位置情報等を含むＰＯＩ情報を記憶していてもよい。ここで、ＰＯＩの位置（座標）情報は、ＰＯＩの緯度経度高度、ＰＯＩの電話番号、ＰＯＩの住所、ならびに、ＰＯＩの存在する地点の立地（都市部、郊外、港湾部、および、駅周辺等）および用途制限等を含んでいてもよい。また、ＰＯＩ情報は、ＰＯＩの名称、種別（カテゴリ）、ＵＲＬ、営業時間、取扱商品、平均価格（例えば、平均使用料金など）、評判、ランキング、立ち寄りやすさ、レコメンドスコア、写真データ、クーポン情報、口コミ（例えば、口コミ評価およびユーザコメントなど）、使用条件、使用可能性、施設規模、ＰＯＩ  ＩＤ、当該ＰＯＩ情報へのアクセス回数またはアクセス頻度等の参照率、および、当該ＰＯＩ情報の更新日時等の情報を含んでいてもよい。ここで、ＰＯＩとは、便利な場所や興味のある場所などとして人が知覚する特定の地点および施設等であって、店舗、会社、事務所、公共施設、娯楽施設、および、屋外施設等であってもよい。ここで、店舗は、例えば、飲食店、食料品店、酒店、タバコ店、百貨店、ショッピングセンター、スーパーマーケット、コンビニエンスストア、ガソリンスタンド、金融機関、郵便局、立体駐車場、ならびに、ホテルおよび旅館等の宿泊施設等であってもよい。また、公共施設は、例えば、官庁、警察署、交番、消防署、駅、医療機関、美術館、博物館、および、学校等であってもよい。また、娯楽施設は、例えば、映画館、劇場、遊園地、パチンコ店、カジノ、および、競馬場等であってもよい。また、屋外施設は、バスターミナル、公園、遊園地、キャンプ場、連絡通路、屋外駐車場、および、動物園等であってもよい。また、ＰＯＩは、一時的に行われるイベント（例えば、祭り、展示会、博覧会、試合、コンサート、および、フリーマーケット等）の会場であってもよい。
【００６５】
また、地図情報に含まれる屋内地図情報は、施設等の構内における屋内経路についての構内経路データを含んでいてもよい。ここで、構内経路データとは、駅等の構内における移動経路データと、当該移動経路を含む地図（施設案内図）の地図情報と、に少なくとも基づくデータであってもよい。例えば、構内経路データは、施設案内図に移動経路が引いてある画像であってもよい。また、例えば、構内経路データは、更に、移動経路を説明するメッセージデータを含んでいてもよい。ここで、移動経路データに基づく移動経路とは、施設内で複数の交通機関の乗換えをする場合の改札口等を結ぶ最適経路（例えば、最短経路またはバリアフリー経路等）であってもよい。
【００６６】
また、これら地図情報等は、地図情報データベース２０６ｄに予め記憶されており、ナビゲーションサーバ２００の制御部２０２は、定期的にネットワーク３００を介して最新のデータを外部機器（例えば、地図情報を提供する地図提供サーバなど）等からダウンロードして地図情報データベース２０６ｄに記憶された地図情報等をアップデートしてもよい。
【００６７】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、検索条件受信部２０２ａ、旅行商品情報検索部２０２ｂ、施設情報検索部２０２ｃ、施設間経路探索部２０２ｄ、旅行計画情報生成部２０２ｅ、旅行商品情報送信部２０２ｆ、および、予約部２０２ｇを備える。
【００６８】
ここで、検索条件受信部２０２ａは、端末装置１００から送信される、旅行予算と非地理的要素の優先度とを含む検索条件を受信する検索条件受信手段である。ここで、非地理的要素の優先度は、ランクであってもよい。また、非地理的要素の優先度は、施設における利用可能予算額であってもよい。ここで、利用可能予算額は、下限予算額、上限予算額、または、平均予算額であってもよい。また、非地理的要素の優先度は、旅行予算における各要素の内訳金額であってもよい。また、非地理的要素の優先度は、旅行予算における各要素の占める割合であってもよい。また、検索条件は、非地理的要素の優先項目（重視項目）を含んでいてもよい。また、検索条件は、出発地、経由地、および／または、目的地を含んでいてもよい。また、検索条件は、端末装置１００の利用者により端末装置１００の入力部１１８を介して入力されたものであってもよい。
【００６９】
また、旅行商品情報検索部２０２ｂは、旅行予算と非地理的要素の優先度とを含む検索条件を満たす、旅行商品情報データベース２０６ａに記憶された旅行商品情報を検索する旅行商品情報検索手段である。ここで、旅行商品情報検索部２０２ｂは、検索条件を満たす、当該検索条件に含まれるランクに合致する施設の施設情報を含む旅行商品情報を検索してもよい。また、旅行商品情報検索部２０２ｂは、検索条件を満たす、当該検索条件に含まれる利用可能予算額に合致する平均利用金額の施設の施設情報を含む旅行商品情報を検索してもよい。
【００７０】
また、施設情報検索部２０２ｃは、旅行商品情報検索部２０２ｂにより検索された旅行商品情報に含まれる施設情報に含まれる位置情報に基づく施設位置、および／または、属性情報に基づく施設属性の類似する施設の、旅行要素情報データベース２０６ｂに記憶された施設情報を検索する施設情報検索手段である。ここで、施設情報検索部２０２ｃは、更に、旅行商品情報検索部２０２ｂにより検索された旅行商品情報に含まれる観光情報に含まれる位置情報に基づく観光先、および／または、属性情報に基づく観光属性の類似する観光に関する、旅行要素情報データベース２０６ｂに記憶された観光情報（例えば、オプショナルツアー等に関する旅行商品情報等）を検索してもよい。また、施設属性とは、ＩＤ、名称、施設の種別（カテゴリ）、営業時間、取扱商品、料金（例えば、平均利用料金等）、評判、ランキング、立ち寄りやすさ、レコメンドスコア、使用条件、使用可能性、施設規模、立地（都市部、郊外、港湾部および駅周辺等）、および、当該施設情報へのアクセス回数またはアクセス頻度等の参照率等であってもよい。また、観光属性とは、ＩＤ、名称、受動型観光（例えば、周遊および観覧等）、および、体験型観光（例えば、アクティビティ体験等）などの種別（カテゴリ）、料金（例えば、平均利用料金等）、評判、ランキング、利用時間、レコメンドスコア、利用条件、ならびに、当該観光情報へのアクセス回数またはアクセス頻度等の参照率等であってもよい。
【００７１】
また、施設間経路探索部２０２ｄは、施設情報検索部２０２ｃにより検索された施設情報に基づく施設間の施設間経路を、ネットワーク情報データベース２０６ｃに記憶されたネットワーク情報を用いて探索し、当該施設間経路に対応する、旅行要素情報データベース２０６ｂに記憶された移動手段情報を取得する施設間経路探索手段である。
【００７２】
また、旅行計画情報生成部２０２ｅは、施設情報検索部２０２ｃにより検索された施設情報、および、施設間経路探索部２０２ｄにより取得された移動手段情報を含む要素情報を含む旅行計画情報を生成する旅行計画情報生成手段である。ここで、旅行計画情報は、更に、施設情報検索部２０２ｃにより検索された観光情報を含んでいてもよい。
【００７３】
また、旅行商品情報送信部２０２ｆは、旅行商品情報検索部２０２ｂにより検索された旅行商品情報を端末装置１００に送信する旅行商品情報送信手段である。ここで、旅行商品情報送信部２０２ｆは、更に、旅行計画情報生成部２０２ｅにより生成された旅行計画情報を端末装置１００に送信してもよい。
【００７４】
また、予約部２０２ｇは、旅行商品、または、旅行計画の予約を行う予約手段である。ここで、予約部２０２ｇは、端末装置１００から送信される予約要求に応じて、旅行商品、または、旅行計画の予約を行ってもよい。ここで、予約要求は、利用者により端末装置１００の入力部１１８を介して入力されたものであってもよい。
【００７５】
［端末装置１００の構成］
また、図１において、端末装置１００は、ナビゲーションサーバ２００から送信される旅行商品情報を受信し、受信された旅行商品情報に含まれる要素情報に基づき、当該旅行商品情報を出力部を介して比較可能に出力させる等の機能を有する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置、および、走行経路案内等を行なうナビゲーション端末（例えば、カーナビゲーション装置など）等である。ここで、端末装置１００は、インターネットブラウザ等を搭載していてもよく、経路案内アプリケーション、乗換案内アプリケーション、および情報検索アプリケーション等を搭載していてもよい。また、端末装置１００は、リアルタイムに現在位置測位が行えるよう、ＧＰＳ機能やＩＭＥＳ機能等を有する位置取得部１１２を備えていてもよい。また、端末装置１００は、表示部１１４と音声出力部１１６とを少なくとも含む出力部を備えていてもよい。また、端末装置１００は、データ入力等を行う入力部１１８を備えていてもよい。
【００７６】
ここで、表示部１１４は、アプリケーション等の表示画面を表示する表示手段（例えば、液晶または有機ＥＬ等から構成されるディスプレイおよびモニタ等）であってもよい。また、音声出力部１１６は、音声情報を音声として出力する音声出力手段（例えば、スピーカ等）であってもよい。また、入力部１１８は、例えば、キー入力部、タッチパネル、キーボード、およびマイク等であってもよい。また、入出力制御インターフェース部１０８は、位置取得部１１２、表示部１１４、音声出力部１１６、および、入力部１１８等の制御を行う。
【００７７】
ここで、位置取得部１１２は、例えば、位置発信装置５００から発信される位置情報信号を受信する信号受信手段であってもよい。ここで、位置発信装置５００は、位置情報信号（ＧＰＳ信号）を発信するＧＰＳ装置であってもよい。また、位置発信装置５００は、端末装置１００との間で無線通信を行うための装置等である基地局（例えば、携帯電話、自動車電話、および、ＰＨＳの基地局等）であってもよい。また、位置発信装置５００は、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。なお、ＩＭＥＳ技術は測位衛星システムである準天頂衛星の枠組みから発案されたシステムである。
【００７８】
また、位置発信装置５００は、屋外で受信したＧＰＳ信号を屋内で発信するＧＰＳリピータであってもよい。また、位置発信装置５００は、建物（例えば、立体駐車場等）内の各フロアや地下構造物（例えば、地下鉄駅、地下街、地下連絡通路、および地下駐車場等）の各所に任意に設置される小型発信装置であってもよい。なお、この小型発信装置には、設置場所に応じた自己位置情報（位置ＩＤ等）が割り振られている。そして、端末装置１００が通信可能範囲に入ると、端末装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。また、位置発信装置５００は、無線ＬＡＮのアクセスポイントであってもよい。本実施形態において、位置取得部１１２は、無線ＬＡＮ信号等を受信して、アクセスポイントの識別情報を取得してもよい。そして、制御部１０２は、位置取得部１１２にて取得したアクセスポイント固有の識別情報からアクセスポイントの位置を特定して位置情報を取得してもよい。また、本実施形態において、制御部１０２は、位置取得部１１２にて取得された位置情報信号から、緯度、経度、および、高さ情報を含む位置情報を算出してもよい。ここで、位置情報は、緯度および経度により特定される絶対位置の他、基準となる位置からの相対位置を示すものであってもよい。
【００７９】
ここで、位置取得部１１２は、端末装置１００の変化量（例えば、ベクトル量等）を検出する速度センサ、加速度センサ、方位センサ、および、距離センサ等を備えていてもよい。ここで、位置取得部１１２は、速度センサにて速度を検出してもよい。また、位置取得部１１２は、加速度センサにて加速度を検出してもよい。また、位置取得部１１２は、方位センサにて方位（例えば、東・西・南・北・天・地等）および傾きを検出してもよい。また、位置取得部１１２は、距離センサにて移動距離（変位）を検出してもよい。ここで、速度センサは、レーザドップラ振動計等であってもよく、検出したドップラー効果によって生じた周波数の差等から端末装置１００の速度を検出してもよい。また、加速度センサは、機械式加速度センサ、ＦＢＧ光ファイバ式等の光学式加速度センサ、および、ＭＥＭＳ（Ｍｉｃｒｏ  Ｅｌｅｃｔｒｏ  Ｍｅｃｈａｎｉｃａｌ  Ｓｙｓｔｅｍｓ）加速度センサ等の半導体式加速度センサなどであってもよい。また、方位センサには、絶対走行方位を検出する地磁気センサ、および、相対走行方位を検出する光ジャイロ等が使用されてもよい。また、方位センサは、地磁気センサと加速度センサを組み合わせることで方位および傾きに関する情報を取得できる電子コンパス等であってもよい。また、距離センサは、端末装置１００が車両用の情報処理端末である場合、車軸の回転数に比例してパルス信号を発生させ、パルス信号の数量に比例した移動距離を検出してもよい。
【００８０】
また、位置取得部１１２は、更に、通信装置を備えていてもよく、端末装置１００が車両用の情報処理端末である場合、各車両に搭載された当該通信装置の車車間通信から自車位置を示す位置情報を取得してもよい。また、位置取得部１１２は、地図情報に基づいて端末装置１００の利用者の現在位置を示す位置情報を取得してもよい。
【００８１】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、ナビゲーションサーバ２００等と通信回線を介してデータを通信する機能を有している。また、ネットワーク３００は、端末装置１００およびナビゲーションサーバ２００と、外部の地図提供サーバ等の外部機器または外部システムとを相互に接続する機能を有し、例えば、インターネット、電話回線網（携帯端末回線網および一般電話回線網等）、イントラネット、または、電力線通信（ＰＬＣ）等であってもよい。
【００８２】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（旅行商品情報ファイル１０６ａ等）を格納してもよい。ここで、記憶部１０６は、各種のファイル等を一時的に記憶するものであってもよい。
【００８３】
また、旅行商品情報ファイル１０６ａは、旅行商品情報を記憶する旅行商品情報記憶手段である。ここで、旅行商品情報ファイル１０６ａは、旅行予算と非地理的要素の優先度とを含む検索条件を入力するための表示情報である入力画面を記憶していてもよい。
【００８４】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、入力画面出力部１０２ａ、検索条件送信部１０２ｂ、旅行商品情報受信部１０２ｃ、および、旅行商品情報出力部１０２ｄを備える。
【００８５】
ここで、入力画面出力部１０２ａは、入力部１１８を介して旅行予算と非地理的要素の優先度とを含む検索条件を入力するための入力画面を表示部１１４に表示させる入力画面出力手段である。ここで、入力画面出力部１０２ａは、入力画面に対応した音声情報を音声出力部１１６を介して出力させてもよい。
【００８６】
また、検索条件送信部１０２ｂは、検索条件をナビゲーションサーバ２００に送信する検索条件送信手段である。
【００８７】
また、旅行商品情報受信部１０２ｃは、ナビゲーションサーバ２００から送信される旅行商品情報を受信する旅行商品情報受信手段である。ここで、旅行商品情報受信部１０２ｃは、更に、ナビゲーションサーバ２００から送信される旅行計画情報を受信してもよい。また、旅行商品情報受信部１０２ｃは、更に、受信した旅行商品情報、および／または、旅行計画情報を旅行商品情報ファイル１０６ａに格納してもよい。ここで、旅行商品情報受信部１０２ｃは、旅行商品情報ファイル１０６ａに既存の旅行商品情報、および／または、旅行計画情報が記憶されている場合、新たに設定された旅行商品情報、および／または、旅行計画情報を、既存の旅行商品情報、および／または、旅行計画情報に上書きして格納してもよい。
【００８８】
また、旅行商品情報出力部１０２ｄは、旅行商品情報に含まれる要素情報に基づき、当該旅行商品情報を出力部を介して比較可能に出力させる旅行商品情報出力手段である。ここで、旅行商品情報出力部１０２ｄは、旅行商品情報に含まれる要素情報に基づき、当該旅行商品情報を表示部１１４に比較可能に表示させてもよい。また、旅行商品情報出力部１０２ｄは、旅行商品情報に含まれる施設情報に含まれるランク情報に基づき、当該旅行商品情報を出力部を介して比較可能に出力させてもよい。また、旅行商品情報出力部１０２ｄは、旅行商品情報に含まれる施設情報に含まれる平均利用金額に基づき、当該旅行商品情報を出力部を介して比較可能に出力させてもよい。また、旅行商品情報出力部１０２ｄは、更に、旅行計画情報に含まれる要素情報に基づき、当該旅行計画情報を出力部を介して比較可能に出力させてもよい。また、旅行商品情報出力部１０２ｄは、旅行商品情報に含まれる要素情報に基づき、地図情報上に、当該旅行商品情報を重畳させて表示部１１４に比較可能に表示させてもよい。また、旅行商品情報出力部１０２ｄは、旅行商品情報に含まれる要素情報に基づき、当該旅行商品情報を音声出力部１１６を介して出力させてもよく、当該旅行商品情報に対応した音声情報を音声出力部１１６を介して出力させてもよい。
【００８９】
以上で、第１の実施形態におけるナビゲーションシステムの構成の一例の説明を終える。
【００９０】
［ナビゲーションシステムの処理］
次に、このように構成された第１の実施形態におけるナビゲーションシステムの処理の一例について、以下に図２乃至図１１を参照して詳細に説明する。図２は、第１の実施形態におけるナビゲーションシステムの処理の一例を示すフローチャートである。
【００９１】
図２に示すように、まず、端末装置１００の入力画面出力部１０２ａは、利用者により入力部１１８を介して本発明を実装したアプリケーションが起動された場合、入力部１１８を介して旅行予算と非地理的要素の優先度とを含む検索条件を入力するための入力画面を表示部１１４に表示させる（ステップＳＡ−１）。ここで、入力画面出力部１０２ａは、入力画面に対応した音声情報を音声出力部１１６を介して出力させてもよい。なお、入力画面は、アプリケーションに対応付けて端末装置１００の記憶部１０６に予め記憶された表示情報（例えば、アプリケーションのプログラムに組み込まれた表示情報等）であってもよく、アプリケーション起動に応じてナビゲーションサーバ２００から受信した表示情報であってもよい。
【００９２】
ここで、図３乃至図５を参照して、本実施形態における検索条件の入力画面の一例について説明する。図３乃至図５は、本実施形態における入力画面の一例を示す図である。
【００９３】
図３に示すように、入力画面には、旅行予算を入力するためのテキストボックス、非地理的要素（食、宿、観光、および、移動）の重視項目を指定するラジオボタン、旅行予算に対する非地理的要素の内訳金額を入力するためのテキストボックス、および、旅行商品の検索開始を要求するボタンのウィジェットが含まれている。つまり、図３に示す入力画面においては、検索条件として旅行予算を受け付け、旅行要件のうち重要視しているものを優先度として受け付け、旅行要件の優先度を判断するための旅行予算の内訳を受け付けている。
【００９４】
また、図４に示すように、入力画面には、旅行予算を入力するためのテキストボックス、非地理的要素（食事、宿泊、および、交通手段）のランクを設定（入力）するためのプルダウンメニュー、および、旅行商品の検索開始を要求するボタンのウィジェットが含まれている。つまり、図４に示す入力画面においては、各旅行要件のランクを受け付けている。
【００９５】
また、図５に示すように、入力画面には、旅行予算を入力するためのテキストボックス、旅行予算における各非地理的要素（食、宿、観光、および、移動）の占める割合を指定するスライダー、および、旅行商品の検索開始を要求するボタンのウィジェットが含まれている。つまり、図５に示す入力画面においては、旅行予算と旅行要件（非地理的要素）とを表すバーグラフをスライドして旅行予算の内訳金額を指定させている。
【００９６】
図２に戻り、端末装置１００の検索条件送信部１０２ｂは、旅行予算と、非地理的要素である食事施設、宿泊施設、観光、および、移動手段の優先度と、を含む検索条件が利用者により入力部１１８を介して入力された場合、当該検索条件をナビゲーションサーバ２００に送信する（ステップＳＡ−２）。ここで、非地理的要素の優先度は、ランクであってもよい。また、非地理的要素の優先度は、施設における利用可能予算額であってもよい。ここで、利用可能予算額は、下限予算額、上限予算額、または、平均予算額であってもよい。また、非地理的要素の優先度は、旅行予算における各要素の内訳金額であってもよい。また、非地理的要素の優先度は、旅行予算における各要素の占める割合であってもよい。また、検索条件は、非地理的要素の優先項目（重視項目）を含んでいてもよい。また、検索条件は、出発地、経由地、および／または、目的地を含んでいてもよい。
【００９７】
そして、ナビゲーションサーバ２００の検索条件受信部２０２ａは、端末装置１００から送信される検索条件を受信する（ステップＳＡ−３）。
【００９８】
そして、ナビゲーションサーバ２００の旅行商品情報検索部２０２ｂは、検索条件受信部２０２ａにより受信された検索条件を満たす、旅行商品情報データベース２０６ａに記憶された旅行商品情報を検索する（ステップＳＡ−４）。ここで、旅行商品情報検索部２０２ｂは、検索条件を満たす、当該検索条件に含まれるランクに合致する施設の施設情報を含む、旅行商品情報データベース２０６ａに記憶された旅行商品情報を検索してもよい。また、旅行商品情報検索部２０２ｂは、検索条件を満たす、当該検索条件に含まれる利用可能予算額に合致する平均利用金額の施設の施設情報を含む、旅行商品情報データベース２０６ａに記憶された旅行商品情報を検索してもよい。すなわち、旅行商品情報検索部２０２ｂは、ユーザから受け付けた検索条件に基づいて、旅行商品情報データベース２０６ａ、および／または、旅行要素情報データベース２０６ｂを検索する。具体的には、旅行商品情報検索部２０２ｂは、ユーザから受け付けた検索条件のうちまず旅行予算に合致する旅行商品を旅行商品情報データベース２０６ａを参照して検索する。そして、旅行商品情報検索部２０２ｂは、検索された旅行商品に含まれる施設情報に基づいて、該当する施設情報の詳細情報を旅行商品情報データベース２０６ａまたは旅行要素情報データベース２０６ｂを参照して検索し、検索された詳細情報に基づいて、さらに優先度の検索条件に該当する旅行商品を検索する。
【００９９】
図６を参照して、本実施形態における旅行商品情報の一例について説明する。図６は、本実施形態における旅行商品情報の一例を示す図である。
【０１００】
図６に示すように、旅行商品情報（旅行商品データ）は、旅行商品（パッケージツアー）のＩＤ（Ｔ００１、および、Ｔ００２）、パッケージツアーの名称（ツアーＡ、および、ツアーＢ）、パッケージツアーの価格（４８，０００円、および、５０，０００円）、パッケージツアーにおける宿泊施設の名称（宿Ｃ、および、宿Ｄ）、および、パッケージツアーにおける食事施設の名称（レストランＥ、Ｆ、および、レストランＧ、Ｈ）等の旅行要件（要素）に関する情報を含んでいる。つまり、ツアーＡは、４８，０００円で購入可能なパッケージツアーであって、宿Ｃに宿泊して食事をレストランＥまたはＦでするというものである。
【０１０１】
また、図７および図８を参照して、本実施形態における施設情報の一例について説明する。図７および図８は、本実施形態における施設情報の一例を示す図である。
【０１０２】
図７に示すように、施設情報（施設データ）は、宿泊施設のＩＤ（Ｓ００１、Ｓ００２、Ｓ００３、および、Ｓ００４）、宿泊施設の名称（宿Ｃ、宿Ｄ、ホテルＩ、および、ホテルＪ）、宿泊施設の平均利用価格（２０，０００円、２５，０００円、１０，０００円、および、１５，０００円）、および、口コミまたは評価による宿泊施設のランク（Ａ、Ａ、Ｃ、および、Ｂ）等の宿泊施設の詳細な情報を含んでいる。
【０１０３】
また、図８に示すように、施設情報（施設データ）は、食事施設のＩＤ（Ｒ００１、Ｒ００２、Ｒ００３、および、Ｒ００４）、食事施設の名称（レストランＥ、レストランＦ、レストランＧ、および、レストランＨ）、食事施設の平均利用価格（１０，０００円、５，０００円、７，５００円、および、１０，０００円）、および、口コミまたは評価による食事施設のランク（Ａ、Ｃ、Ｂ、および、Ａ）等の食事施設の詳細な情報を含んでいる。
【０１０４】
図２に戻り、ナビゲーションサーバ２００の施設情報検索部２０２ｃは、旅行商品情報検索部２０２ｂにより検索された旅行商品情報に含まれる施設情報に含まれる位置情報に基づく施設位置、および／または、属性情報に基づく施設属性の類似する施設の、旅行要素情報データベース２０６ｂに記憶された施設情報、ならびに、旅行商品情報検索部２０２ｂにより検索された旅行商品情報に含まれる観光情報に含まれる位置情報に基づく観光先、および／または、属性情報に基づく観光属性の類似するオプショナルツアーに関する、旅行要素情報データベース２０６ｂに記憶された観光情報に含まれる旅行商品情報を検索する（ステップＳＡ−５）。ここで、施設属性とは、施設の種別（カテゴリ）、営業時間、取扱商品、料金（例えば、平均利用料金等）、評判、ランキング、立ち寄りやすさ、レコメンドスコア、使用条件、使用可能性、施設規模、立地（都市部、郊外、港湾部および駅周辺等）、および、当該施設情報へのアクセス回数またはアクセス頻度等の参照率等であってもよい。また、観光属性とは、受動型観光（例えば、周遊および観覧等）、および、体験型観光（例えば、アクティビティ体験等）などの種別（カテゴリ）、料金（例えば、平均利用料金等）、評判、ランキング、利用時間、レコメンドスコア、利用条件、ならびに、当該観光情報へのアクセス回数またはアクセス頻度等の参照率等であってもよい。なお、旅行要素情報データベース２０６ｂは、旅行商品情報に含まれない施設情報（例えば、パッケージツアーでの宿泊を受け付けていない旅館等の施設情報）などの要素情報を記憶していてもよい。
【０１０５】
そして、ナビゲーションサーバ２００の施設間経路探索部２０２ｄは、施設情報検索部２０２ｃにより検索された施設情報に基づく施設間の施設間経路を、ネットワーク情報データベース２０６ｃに記憶されたネットワーク情報を用いて探索し、当該施設間経路に対応する、旅行要素情報データベース２０６ｂに記憶された移動手段情報を取得する（ステップＳＡ−６）。
【０１０６】
そして、ナビゲーションサーバ２００の旅行計画情報生成部２０２ｅは、施設情報検索部２０２ｃにより検索された施設情報、および、オプショナルツアーに関する旅行商品情報、ならびに、施設間経路探索部２０２ｄにより取得された移動手段情報を含む要素情報を含む旅行計画情報を生成する（ステップＳＡ−７）。ここで、旅行計画情報に基づく旅行計画とは、例えば、オリジナルツアー等であってもよい。
【０１０７】
そして、ナビゲーションサーバ２００の旅行商品情報送信部２０２ｆは、旅行商品情報検索部２０２ｂにより検索された旅行商品情報、および、旅行計画情報生成部２０２ｅにより生成された旅行計画情報を端末装置１００に送信する（ステップＳＡ−８）。ここで、旅行商品情報送信部２０２ｆは、更に、旅行商品情報および旅行計画情報に含まれる位置情報に対応する、地図情報データベース２０６ｄに記憶された地図情報を端末装置１００に送信してもよい。
【０１０８】
そして、端末装置１００の旅行商品情報受信部１０２ｃは、ナビゲーションサーバ２００から送信される旅行商品情報および旅行計画情報を受信し、受信した旅行商品情報および旅行計画情報を旅行商品情報ファイル１０６ａに格納する（ステップＳＡ−９）。ここで、旅行商品情報受信部１０２ｃは、更に、ナビゲーションサーバ２００から送信される地図情報を受信し、受信した地図情報を旅行商品情報ファイル１０６ａに格納してもよい。
【０１０９】
そして、端末装置１００の旅行商品情報出力部１０２ｄは、旅行商品情報ファイル１０６ａに記憶された旅行商品情報および旅行計画情報に含まれる要素情報に基づき、当該旅行商品情報および旅行計画情報を表示部１１４に比較可能に表示させる（ステップＳＡ−１０）。ここで、旅行商品情報出力部１０２ｄは、旅行商品情報ファイル１０６ａに記憶された旅行商品情報および旅行計画情報に含まれる施設情報に含まれるランク情報に基づき、当該旅行商品情報および旅行計画情報を表示部１１４に比較可能に表示させてもよい。また、旅行商品情報出力部１０２ｄは、旅行商品情報ファイル１０６ａに記憶された旅行商品情報および旅行計画情報に含まれる施設情報に含まれる平均利用金額に基づき、当該旅行商品情報および旅行計画情報を表示部１１４に比較可能に表示させてもよい。また、旅行商品情報出力部１０２ｄは、旅行商品情報ファイル１０６ａに記憶された旅行商品情報および旅行計画情報に含まれる要素情報に基づき、旅行商品情報ファイル１０６ａに記憶された地図情報上に、当該旅行商品情報および旅行計画情報を重畳させて表示部１１４に比較可能に表示させてもよい。また、旅行商品情報出力部１０２ｄは、旅行商品情報ファイル１０６ａに記憶された旅行商品情報および旅行計画情報に含まれる要素情報に基づき、当該旅行商品情報および旅行計画情報を音声出力部１１６を介して出力させてもよく、当該旅行商品情報および旅行計画情報に対応した音声情報を音声出力部１１６を介して出力させてもよい。
【０１１０】
ここで、図９乃至図１１を参照して、本実施形態における表示画面の一例について説明する。図９乃至図１１は、本実施形態における表示画面の一例を示す図である。
【０１１１】
図９に示すように、旅行商品情報出力部１０２ｄは、旅行商品情報に含まれる非地理的要素（宿泊（宿Ｃ、および、宿Ｄ）、食事（レストランＥ、および、レストランＧ）、移動、および、観光）に関する要素情報に含まれるランク情報に基づき、食ランク重視の検索結果である旅行商品（ツアーＡ、および、ツアーＢ）が比較可能になるように、当該旅行商品の、地理的要素（行き先：ＰＰ県、および、行き先：ＱＱ県）に関する要素情報、および、非地理的要素に関する要素情報を含む旅行商品情報、ならびに、当該旅行商品の予約を要求するボタンのウィジェットを表示部１１４に表示させている。つまり、旅行商品情報出力部１０２ｄは、検索された旅行商品（各旅行要件のランクが付与されたツアーＡおよびツアーＢ）を表示させている。ここで、検索条件として旅行要件のうち食に関するものを重視するという要求を受け付けているため、旅行商品情報出力部１０２ｄは、検索結果として食がＡランクであるツアーＡを、食がＢランクであるツアーＢより先に表示させている。
【０１１２】
また、図１０に示すように、旅行商品情報出力部１０２ｄは、旅行商品情報および旅行計画情報に含まれる非地理的要素（宿泊（宿Ｃ、宿Ｄ、および、ホテルＤ）、食事（レストランＥ、レストランＧ、および、レストランＧ）、移動、および、観光）に関する要素情報に含まれるランク情報に基づき、検索結果である旅行商品（ツアーＡ）および旅行計画（プランＸ、および、プランＹ）が比較可能になるように、当該旅行商品および旅行計画の、地理的要素（行き先：ＰＰ県、ＲＲ県、および、ＳＳ）に関する要素情報、および、非地理的要素に関する要素情報を含む旅行商品情報および旅行計画情報、ならびに、当該旅行商品の予約を要求するボタン、および、当該旅行計画の一括予約を要求するボタンのウィジェットを表示部１１４に表示させている。このように、施設及び類似経路で作成されたプランＸおよびプランＹが、それぞれ個別の施設及び交通手段を利用するものなので、一括予約ができるようにしている。
【０１１３】
また、図１１に示すように、旅行商品情報出力部１０２ｄは、旅行商品（ツアーＡ、および、ツアーＢ）に関する旅行商品情報、および、旅行計画（プランＸ、および、プランＹ）に関する旅行計画情報に含まれる要素情報に基づき、地図情報上に、当該旅行商品情報および旅行計画情報を発着地がわかるように重畳させて表示部１１４に比較可能に表示させている。ここで、発着地に含まれる出発地は、端末装置１００の利用者の指定地点であってもよく、現在位置であってもよい。このように、目的地で絞り込みを行っていないため、予算の範囲内の旅行商品は全て検索され地図上に表示される。
【０１１４】
図２に戻り、端末装置１００の制御部１０２は、旅行商品情報出力部１０２ｄにより表示部１１４に表示された、旅行商品情報に基づく旅行商品の予約、または、旅行計画情報に基づく旅行計画の一括予約を要求する予約要求が利用者により入力部１１８を介して入力された場合、当該予約要求をナビゲーションサーバ２００に送信する（ステップＳＡ−１１）。
【０１１５】
そして、ナビゲーションサーバ２００の予約部２０２ｇは、端末装置１００から送信される予約要求を受信し、当該予約要求に応じて旅行商品の予約、または、旅行計画の一括予約を行う（ステップＳＡ−１２）。
【０１１６】
以上で、第１の実施形態におけるナビゲーションシステムの処理の一例の説明を終える。
【０１１７】
［第２の実施形態］
続いて、本発明の第２の実施形態（ナビゲーションサーバ２００（サーバ主導型））について、図１２および図１３を参照して以下に説明する。ここで、図１２は、第２の実施形態におけるナビゲーションサーバ２００の構成の一例を示すブロック図であり、該構成のうち本発明に関係する部分のみを概念的に示している。
【０１１８】
なお、第２の実施形態においては、ナビゲーションサーバ２００にて端末装置１００の表示部１１４に表示させるデータを生成し、これらのデータを端末装置１００に送信することにより、当該端末装置１００の表示部１１４を機能させている。このように、第２の実施形態は、ナビゲーションサーバ２００にてサーバ主導で処理を行う点がその他の実施形態と異なる。
【０１１９】
［ナビゲーションサーバ２００（サーバ主導型）の構成］
まず、第２の実施形態におけるナビゲーションサーバ２００（サーバ主導型）の構成の一例について、図１２を参照して以下に説明する。
【０１２０】
図１２に示すように、本発明の第２の実施形態のナビゲーションサーバ２００は、位置取得部１１２と出力部（表示部１１４および音声出力部１１６）と入力部１１８と制御部１０２とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらナビゲーションサーバ２００および端末装置１００の各部は任意の通信路を介して通信可能に接続されている。
【０１２１】
図１２において、ナビゲーションサーバ２００は、端末装置１００から送信される旅行予算と、非地理的要素の優先度と、を含む検索条件を満たす、旅行商品情報を検索し、検索された旅行商品情報に含まれる要素情報に基づき、当該旅行商品情報を比較可能に表示させる表示情報を生成し、表示情報を含む出力制御情報を端末装置１００へ送信することにより、当該端末装置１００の出力部を介して当該出力制御情報を出力させる等の機能を有する。
【０１２２】
なお、ナビゲーションサーバ２００における通信制御インターフェース部２０４および記憶部２０６（旅行商品情報データベース２０６ａ、旅行要素情報データベース２０６ｂ、ネットワーク情報データベース２０６ｃ、および、地図情報データベース２０６ｄ等）の機能、また、端末装置１００における位置取得部１１２、表示部１１４、音声出力部１１６、および、入力部１１８の機能は、第１の実施形態と同様であるため説明を省略する。
【０１２３】
また、図１２において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、検索条件受信部２０２ａ、旅行商品情報検索部２０２ｂ、施設情報検索部２０２ｃ、施設間経路探索部２０２ｄ、旅行計画情報生成部２０２ｅ、予約部２０２ｇ、表示情報生成部２０２ｈ、および、出力制御部２０２ｉを備える。なお、検索条件受信部２０２ａ、旅行商品情報検索部２０２ｂ、施設情報検索部２０２ｃ、施設間経路探索部２０２ｄ、および、旅行計画情報生成部２０２ｅの機能は、第１の実施形態と同様であるため説明を省略する。
【０１２４】
このうち、表示情報生成部２０２ｈは、旅行商品情報に含まれる要素情報に基づき、当該旅行商品情報を比較可能に表示させる表示情報を生成する表示情報生成手段である。ここで、表示情報生成部２０２ｈは、旅行商品情報に含まれる要素情報に基づき、当該旅行商品情報を比較可能に表示させる表示情報を生成してもよい。また、表示情報生成部２０２ｈは、旅行商品情報に含まれる施設情報に含まれるランク情報に基づき、当該旅行商品情報を比較可能に表示させる表示情報を生成してもよい。また、表示情報生成部２０２ｈは、旅行商品情報に含まれる施設情報に含まれる平均利用金額に基づき、当該旅行商品情報を比較可能に表示させる表示情報を生成してもよい。また、表示情報生成部２０２ｈは、更に、旅行計画情報に含まれる要素情報に基づき、当該旅行計画情報を比較可能に表示させる表示情報を生成してもよい。また、表示情報生成部２０２ｈは、旅行商品情報に含まれる要素情報に基づき、地図情報上に、当該旅行商品情報を重畳させて比較可能に表示させる表示情報を生成してもよい。また、表示情報生成部２０２ｈは、旅行商品情報データベース２０６ａに記憶された、旅行予算と非地理的要素の優先度とを含む検索条件を入力するための表示情報である入力画面を取得してもよい。また、表示情報生成部２０２ｈは、旅行予算と非地理的要素の優先度とを含む検索条件を入力するための表示情報である入力画面を生成してもよい。
【０１２５】
また、出力制御部２０２ｉは、表示情報を含む出力制御情報を端末装置１００に送信することにより、当該端末装置１００の出力部を介して当該出力制御情報を出力させる出力制御手段である。ここで、出力制御部２０２ｉは、表示情報を含む出力制御情報を端末装置１００に送信することにより、当該端末装置１００の表示部１１４に当該表示情報を表示させてもよい。また、表示情報は、旅行予算と非地理的要素の優先度とを含む検索条件を入力するための入力画面であってもよい。また、出力制御部２０２ｉは、更に、表示情報に対応した音声情報（例えば、音声案内情報等）を含む出力制御情報を端末装置１００に送信することにより、端末装置１００の音声出力部１１６を介して当該音声情報を出力させてもよい。
【０１２６】
以上で、第２の実施形態におけるナビゲーションサーバ２００の構成の一例の説明を終える。
【０１２７】
［ナビゲーションサーバ２００（サーバ主導型）の処理］
次に、このように構成された第２の実施形態におけるナビゲーションサーバ２００の処理の一例について、以下に図１３を参照して詳細に説明する。図１３は、第２の実施形態におけるナビゲーションサーバ２００の処理の一例を示すフローチャートである。
【０１２８】
図１３に示すように、まず、端末装置１００の制御部１０２は、利用者により入力部１１８を介して本発明を実装したアプリケーションが起動された場合、起動信号をナビゲーションサーバ２００へ送信する（ステップＳＢ−１）。
【０１２９】
そして、ナビゲーションサーバ２００の制御部２０２は、端末装置１００から送信される起動信号を受信する（ステップＳＢ−２）。
【０１３０】
そして、ナビゲーションサーバ２００の表示情報生成部２０２ｈは、旅行商品情報データベース２０６ａに記憶された、旅行予算と非地理的要素の優先度とを含む検索条件を入力するための入力画面を取得する（ステップＳＢ−３）。ここで、表示情報生成部２０２ｈは、旅行予算と非地理的要素の優先度とを含む検索条件を入力するための入力画面を生成してもよい。
【０１３１】
そして、ナビゲーションサーバ２００の出力制御部２０２ｉは、表示情報生成部２０２ｈにより取得された入力画面を含む出力制御情報を端末装置１００に送信することにより、当該端末装置１００の表示部１１４に当該入力画面を表示させる（ステップＳＢ−４）。ここで、出力制御部２０２ｉは、更に、入力画面に対応した音声情報を含む出力制御情報を端末装置１００に送信することにより、端末装置１００の音声出力部１１６を介して当該音声情報を出力させてもよい。
【０１３２】
そして、端末装置１００の制御部１０２は、旅行予算と、非地理的要素である食事施設、宿泊施設、観光、および、移動手段の優先度と、を含む検索条件が利用者により入力部１１８を介して入力された場合、当該検索条件をナビゲーションサーバ２００に送信する（ステップＳＢ−５）。ここで、非地理的要素の優先度は、ランクであってもよい。また、非地理的要素の優先度は、施設における利用可能予算額であってもよい。ここで、利用可能予算額は、下限予算額、上限予算額、または、平均予算額であってもよい。また、非地理的要素の優先度は、旅行予算における各要素の内訳金額であってもよい。また、非地理的要素の優先度は、旅行予算における各要素の占める割合であってもよい。また、検索条件は、非地理的要素の優先項目（重視項目）を含んでいてもよい。また、検索条件は、出発地、経由地、および／または、目的地を含んでいてもよい。
【０１３３】
ここで、図１３に示す第２の実施形態におけるステップＳＢ−６乃至ステップＳＢ−１０の処理は、図２に示す第１の実施形態におけるステップＳＡ−３乃至ステップＳＡ−７の処理と同様であるため説明を省略する。
【０１３４】
そして、ナビゲーションサーバ２００の表示情報生成部２０２ｈは、旅行商品情報検索部２０２ｂにより検索された旅行商品情報、および、旅行計画情報生成部２０２ｅにより生成された旅行計画情報に含まれる要素情報に基づき、当該旅行商品情報、および、当該旅行計画情報を比較可能に表示させる表示情報を生成する（ステップＳＢ−１１）。ここで、表示情報生成部２０２ｈは、旅行商品情報検索部２０２ｂにより検索された旅行商品情報、および、旅行計画情報生成部２０２ｅにより生成された旅行計画情報に含まれる施設情報に含まれるランク情報に基づき、当該旅行商品情報、および、当該旅行計画情報を比較可能に表示させる表示情報を生成してもよい。また、表示情報生成部２０２ｈは、旅行商品情報検索部２０２ｂにより検索された旅行商品情報、および、旅行計画情報生成部２０２ｅにより生成された旅行計画情報に含まれる施設情報に含まれる平均利用金額に基づき、当該旅行商品情報、および、当該旅行計画情報を比較可能に表示させる表示情報を生成してもよい。また、表示情報生成部２０２ｈは、旅行商品情報検索部２０２ｂにより検索された旅行商品情報、および、旅行計画情報生成部２０２ｅにより生成された旅行計画情報に含まれる要素情報に基づき、地図情報上に、当該旅行商品情報、および、当該旅行計画情報を重畳させて比較可能に表示させる表示情報を生成してもよい。
【０１３５】
そして、ナビゲーションサーバ２００の出力制御部２０２ｉは、表示情報生成部２０２ｈにより生成された表示情報を含む出力制御情報を端末装置１００に送信することにより、当該端末装置１００の表示部１１４に当該表示情報を表示させる（ステップＳＢ−１２）。ここで、出力制御部２０２ｉは、更に、表示情報に対応した音声情報を含む出力制御情報を端末装置１００に送信することにより、端末装置１００の音声出力部１１６を介して当該音声情報を出力させてもよい。
【０１３６】
そして、端末装置１００の制御部１０２は、出力制御部２０２ｉにより表示部１１４に表示された表示情報に含まれる、旅行商品情報に基づく旅行商品の予約、または、旅行計画情報に基づく旅行計画の一括予約を要求する予約要求が利用者により入力部１１８を介して入力された場合、当該予約要求をナビゲーションサーバ２００に送信する（ステップＳＢ−１３）。
【０１３７】
そして、ナビゲーションサーバ２００の予約部２０２ｇは、端末装置１００から送信される予約要求を受信し、当該予約要求に応じて旅行商品の予約、または、旅行計画の一括予約を行う（ステップＳＢ−１４）。
【０１３８】
以上で、第２の実施形態におけるナビゲーションサーバ２００の処理の一例の説明を終える。
【０１３９】
［第３の実施形態］
続いて、本発明の第３の実施形態（ナビゲーション装置４００（スタンドアローン型））について、図１４および図１５を参照して以下に説明する。ここで、図１４は、第３の実施形態におけるナビゲーション装置４００の構成の一例を示すブロック図であり、該構成のうち本発明に関係する部分のみを概念的に示している。
【０１４０】
なお、第３の実施形態においては、全ての機能をナビゲーション装置４００に集約し、旅行予算と、非地理的要素の優先度と、を含む検索条件を取得し、取得された検索条件を満たす、旅行商品情報を検索し、検索された旅行商品情報に含まれる要素情報に基づき、当該旅行商品情報を出力部を介して比較可能に出力させる等の機能を有する。このように、第３の実施形態は、ナビゲーション装置４００がスタンドアローン型に構成され単独で処理を行う点がその他の実施形態と異なる。
【０１４１】
［ナビゲーション装置４００（スタンドアローン型）の構成］
まず、第３の実施形態におけるナビゲーション装置４００（スタンドアローン型）の構成の一例について、図１４を参照して以下に説明する。
【０１４２】
図１４に示すように、本発明の第３の実施形態のナビゲーション装置４００は、位置取得部４１２と出力部（表示部４１４および音声出力部４１６）と入力部４１８と制御部４０２と記憶部４０６とを少なくとも備える。これらナビゲーション装置４００の各部は任意の通信路を介して通信可能に接続されてもよい。ナビゲーション装置４００は、例えば、ＰＮＤ（Ｐｏｒｔａｂｌｅ  Ｎａｖｉｇａｔｉｏｎ  Ｄｅｖｉｃｅ）等の各種ナビゲーション端末、ノート型のパーソナルコンピュータ等の各種情報処理装置、または、携帯電話やＰＨＳやＰＤＡ等の携帯端末装置等であってもよい。また、ナビゲーション装置４００は、通信制御インターフェース部（図示せず）を介してネットワーク３００を経由し、外部装置と相互に通信可能に接続されていてもよい。
【０１４３】
図１４において、入出力制御インターフェース部４０８、位置取得部４１２、表示部４１４、音声出力部４１６、および、入力部４１８の各機能は、第１の実施形態と同様であるため説明を省略する。また、記憶部４０６の各部（旅行商品情報データベース４０６ａ、旅行要素情報データベース４０６ｂ、ネットワーク情報データベース４０６ｃ、および、地図情報データベース４０６ｄ等）についても、ナビゲーションサーバ２００ではなくナビゲーション装置４００に備えられている点を除き、各機能が第１の実施形態と同様であるため説明を省略する。
【０１４４】
また、制御部４０２の各部については、本実施形態のナビゲーション装置４００がスタンドアローン型であり、制御部４０２が各送信部を備えていない点を除き、各機能は第１の実施形態と基本的に同様である。
【０１４５】
また、図１４において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、入力画面出力部４０２ａ、検索条件取得部４０２ｂ、旅行商品情報検索部４０２ｃ、施設情報検索部４０２ｄ、施設間経路探索部４０２ｅ、旅行計画情報生成部４０２ｆ、旅行商品情報出力部４０２ｇ、および、予約部４０２ｈを備える。
【０１４６】
このうち、入力画面出力部４０２ａは、入力部４１８を介して旅行予算と非地理的要素の優先度とを含む検索条件を入力するための入力画面を表示部４１４に表示させる入力画面出力手段である。ここで、入力画面出力部４０２ａは、入力画面に対応した音声情報を音声出力部４１６を介して出力させてもよい。
【０１４７】
また、検索条件取得部４０２ｂは、旅行予算と非地理的要素の優先度とを含む検索条件を取得する検索条件取得手段である。また、検索条件は、利用者により入力部４１８を介して入力されたものであってもよい。
【０１４８】
また、旅行商品情報検索部４０２ｃは、旅行予算と非地理的要素の優先度とを含む検索条件を満たす、旅行商品情報データベース４０６ａに記憶された旅行商品情報を検索する旅行商品情報検索手段である。ここで、旅行商品情報検索部４０２ｃは、検索条件を満たす、当該検索条件に含まれるランクに合致する施設の施設情報を含む旅行商品情報を検索してもよい。また、旅行商品情報検索部４０２ｃは、検索条件を満たす、当該検索条件に含まれる利用可能予算額に合致する平均利用金額の施設の施設情報を含む旅行商品情報を検索してもよい。
【０１４９】
また、施設情報検索部４０２ｄは、旅行商品情報検索部４０２ｃにより検索された旅行商品情報に含まれる施設情報に含まれる位置情報に基づく施設位置、および／または、属性情報に基づく施設属性の類似する施設の、旅行要素情報データベース４０６ｂに記憶された施設情報を検索する施設情報検索手段である。ここで、施設情報検索部４０２ｄは、更に、旅行商品情報検索部４０２ｃにより検索された旅行商品情報に含まれる観光情報に含まれる位置情報に基づく観光先、および／または、属性情報に基づく観光属性の類似する観光に関する、旅行要素情報データベース４０６ｂに記憶された観光情報（例えば、オプショナルツアー等に関する旅行商品情報等）を検索してもよい。
【０１５０】
また、施設間経路探索部４０２ｅは、施設情報検索部４０２ｄにより検索された施設情報に基づく施設間の施設間経路を、ネットワーク情報データベース４０６ｃに記憶されたネットワーク情報を用いて探索し、当該施設間経路に対応する、旅行要素情報データベース４０６ｂに記憶された移動手段情報を取得する施設間経路探索手段である。
【０１５１】
また、旅行計画情報生成部４０２ｆは、施設情報検索部４０２ｄにより検索された施設情報、および、施設間経路探索部４０２ｅにより取得された移動手段情報を含む要素情報を含む旅行計画情報を生成する旅行計画情報生成手段である。ここで、旅行計画情報は、更に、施設情報検索部４０２ｄにより検索された観光情報を含んでいてもよい。
【０１５２】
また、旅行商品情報出力部４０２ｇは、旅行商品情報に含まれる要素情報に基づき、当該旅行商品情報を出力部を介して比較可能に出力させる旅行商品情報出力手段である。ここで、旅行商品情報出力部４０２ｇは、旅行商品情報に含まれる要素情報に基づき、当該旅行商品情報を表示部４１４に比較可能に表示させてもよい。また、旅行商品情報出力部４０２ｇは、旅行商品情報に含まれる施設情報に含まれるランク情報に基づき、当該旅行商品情報を出力部を介して比較可能に出力させてもよい。また、旅行商品情報出力部４０２ｇは、旅行商品情報に含まれる施設情報に含まれる平均利用金額に基づき、当該旅行商品情報を出力部を介して比較可能に出力させてもよい。また、旅行商品情報出力部４０２ｇは、更に、旅行計画情報に含まれる要素情報に基づき、当該旅行計画情報を出力部を介して比較可能に出力させてもよい。また、旅行商品情報出力部４０２ｇは、旅行商品情報に含まれる要素情報に基づき、地図情報上に、当該旅行商品情報を重畳させて表示部４１４に比較可能に表示させてもよい。また、旅行商品情報出力部４０２ｇは、旅行商品情報に含まれる要素情報に基づき、当該旅行商品情報を音声出力部４１６を介して出力させてもよく、当該旅行商品情報に対応した音声情報を音声出力部４１６を介して出力させてもよい。
【０１５３】
また、予約部４０２ｈは、旅行商品、または、旅行計画の予約を行う予約手段である。ここで、予約部４０２ｈは、入力部４１８を介して入力された予約要求に応じて、旅行商品、または、旅行計画の予約を行ってもよい。
【０１５４】
以上で、第３の実施形態におけるナビゲーション装置４００の構成の一例の説明を終える。
【０１５５】
［ナビゲーション装置４００（スタンドアローン型）の処理］
次に、このように構成された第３の実施形態におけるナビゲーション装置４００の処理の一例について、以下に図１５を参照して詳細に説明する。図１５は、第３の実施形態におけるナビゲーション装置４００の処理の一例を示すフローチャートである。
【０１５６】
図１５に示すように、まず、入力画面出力部４０２ａは、利用者により入力部４１８を介して本発明を実装したアプリケーションが起動された場合、旅行商品情報データベース４０６ａに記憶された、旅行予算と非地理的要素の優先度とを含む検索条件を入力部４１８を介して入力するための入力画面を表示部４１４に表示させる（ステップＳＣ−１）。ここで、入力画面出力部４０２ａは、入力画面に対応した音声情報を音声出力部４１６を介して出力させてもよい。
【０１５７】
そして、検索条件取得部４０２ｂは、旅行予算と、非地理的要素である食事施設、宿泊施設、観光、および、移動手段の優先度と、を含む検索条件が利用者により入力部４１８を介して入力された場合、当該検索条件を取得する（ステップＳＣ−２）。
【０１５８】
そして、旅行商品情報検索部４０２ｃは、検索条件取得部４０２ｂにより取得された検索条件を満たす、旅行商品情報データベース４０６ａに記憶された旅行商品情報を検索する（ステップＳＣ−３）。ここで、旅行商品情報検索部４０２ｃは、検索条件取得部４０２ｂにより取得された検索条件を満たす、当該検索条件に含まれるランクに合致する施設の施設情報を含む、旅行商品情報データベース４０６ａに記憶された旅行商品情報を検索してもよい。また、旅行商品情報検索部４０２ｃは、検索条件取得部４０２ｂにより取得された検索条件を満たす、当該検索条件に含まれる利用可能予算額に合致する平均利用金額の施設の施設情報を含む、旅行商品情報データベース４０６ａに記憶された旅行商品情報を検索してもよい。
【０１５９】
そして、施設情報検索部４０２ｄは、旅行商品情報検索部４０２ｃにより検索された旅行商品情報に含まれる施設情報に含まれる位置情報に基づく施設位置、および／または、属性情報に基づく施設属性の類似する施設の、旅行要素情報データベース４０６ｂに記憶された施設情報、ならびに、旅行商品情報検索部４０２ｃにより検索された旅行商品情報に含まれる観光情報に含まれる位置情報に基づく観光先、および／または、属性情報に基づく観光属性の類似するオプショナルツアーに関する、旅行要素情報データベース４０６ｂに記憶された観光情報に含まれる旅行商品情報を検索する（ステップＳＣ−４）。
【０１６０】
そして、施設間経路探索部４０２ｅは、施設情報検索部４０２ｄにより検索された施設情報に基づく施設間の施設間経路を、ネットワーク情報データベース４０６ｃに記憶されたネットワーク情報を用いて探索し、当該施設間経路に対応する、旅行要素情報データベース４０６ｂに記憶された移動手段情報を取得する（ステップＳＣ−５）。
【０１６１】
そして、旅行計画情報生成部４０２ｆは、施設情報検索部４０２ｄにより検索された施設情報、および、オプショナルツアーに関する旅行商品情報、ならびに、施設間経路探索部４０２ｅにより取得された移動手段情報を含む要素情報を含む旅行計画情報を生成する（ステップＳＣ−６）。
【０１６２】
そして、旅行商品情報出力部４０２ｇは、旅行商品情報検索部４０２ｃにより検索された旅行商品情報、および、旅行計画情報生成部４０２ｆにより生成された旅行計画情報に含まれる要素情報に基づき、当該旅行商品情報および旅行計画情報を表示部４１４に比較可能に表示させる（ステップＳＣ−７）。ここで、旅行商品情報出力部４０２ｇは、旅行商品情報検索部４０２ｃにより検索された旅行商品情報、および、旅行計画情報生成部４０２ｆにより生成された旅行計画情報に含まれる施設情報に含まれるランク情報に基づき、当該旅行商品情報および旅行計画情報を表示部４１４に比較可能に表示させてもよい。また、旅行商品情報出力部４０２ｇは、旅行商品情報検索部４０２ｃにより検索された旅行商品情報、および、旅行計画情報生成部４０２ｆにより生成された旅行計画情報に含まれる施設情報に含まれる平均利用金額に基づき、当該旅行商品情報および旅行計画情報を表示部４１４に比較可能に表示させてもよい。また、旅行商品情報出力部４０２ｇは、旅行商品情報検索部４０２ｃにより検索された旅行商品情報、および、旅行計画情報生成部４０２ｆにより生成された旅行計画情報に含まれる要素情報に基づき、地図情報データベース４０６ｄに記憶された地図情報上に、当該旅行商品情報および旅行計画情報を重畳させて表示部４１４に比較可能に表示させてもよい。また、旅行商品情報出力部４０２ｇは、旅行商品情報検索部４０２ｃにより検索された旅行商品情報、および、旅行計画情報生成部４０２ｆにより生成された旅行計画情報に含まれる要素情報に基づき、当該旅行商品情報および旅行計画情報を音声出力部４１６を介して出力させてもよく、当該旅行商品情報および旅行計画情報に対応した音声情報を音声出力部４１６を介して出力させてもよい。
【０１６３】
そして、予約部４０２ｈは、旅行商品情報出力部４０２ｇにより表示部４１４に表示された、旅行商品情報に基づく旅行商品の予約、または、旅行計画情報に基づく旅行計画の一括予約を要求する予約要求が利用者により入力部４１８を介して入力された場合、当該予約要求に応じて旅行商品の予約、または、旅行計画の一括予約を行う（ステップＳＣ−８）。
【０１６４】
以上で、第３の実施形態におけるナビゲーション装置４００の処理の一例の説明を終える。
【０１６５】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【０１６６】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１６７】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１６８】
また、端末装置１００、ナビゲーションサーバ２００、および、ナビゲーション装置４００に関して、図示の各構成要素は機能概念的なものであり、必ずしも物理的に図示の如く構成されていることを要しない。
【０１６９】
例えば、端末装置１００、ナビゲーションサーバ２００、および、ナビゲーション装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、ナビゲーションサーバ２００、および、ナビゲーション装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１７０】
また、このコンピュータプログラムは、端末装置１００、ナビゲーションサーバ２００、および、ナビゲーション装置４００に対して任意のネットワーク３００を介して接続されたアプリケーションプログラムサーバに記憶されていてもよく、必要に応じてその全部または一部をダウンロードすることも可能である。
【０１７１】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１７２】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１７３】
記憶部１０６、記憶部２０６、および、記憶部４０６に格納される各種のデータベース等（旅行商品情報ファイル１０６ａ、旅行商品情報データベース２０６ａ、旅行要素情報データベース２０６ｂ、ネットワーク情報データベース２０６ｃ、地図情報データベース２０６ｄ、旅行商品情報データベース４０６ａ、旅行要素情報データベース４０６ｂ、ネットワーク情報データベース４０６ｃ、および、地図情報データベース４０６ｄ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１７４】
また、端末装置１００、ナビゲーションサーバ２００、および、ナビゲーション装置４００は、既知のパーソナルコンピュータ、ワークステーション等の情報処理装置として構成してもよく、また、該情報処理装置に任意の周辺装置を接続して構成してもよい。また、端末装置１００、ナビゲーションサーバ２００、および、ナビゲーション装置４００は、該情報処理装置に本発明の方法を実現させるソフトウェア（プログラム、データ等を含む）を実装することにより実現してもよい。
【０１７５】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１７６】
以上詳述したように、本発明によれば、予算、および、非地理的条件に基づいて適切な旅行プランを提案することができるナビゲーション装置、ナビゲーションシステム、ナビゲーションサーバ、ナビゲーション方法、および、プログラムを提供することができるので、ナビゲーションを支援する情報機器や情報処理分野などの様々な分野において極めて有用である。
【符号の説明】
【０１７７】
１００  端末装置
１０２  制御部
１０２ａ  入力画面出力部
１０２ｂ  検索条件送信部
１０２ｃ  旅行商品情報受信部
１０２ｄ  旅行商品情報出力部
１０４  通信制御インターフェース部
１０６  記憶部
１０６ａ  旅行商品情報ファイル
１０８  入出力制御インターフェース部
１１２  位置取得部
１１４  表示部
１１６  音声出力部
１１８  入力部
２００  ナビゲーションサーバ
２０２  制御部
２０２ａ  検索条件受信部
２０２ｂ  旅行商品情報検索部
２０２ｃ  施設情報検索部
２０２ｄ  施設間経路探索部
２０２ｅ  旅行計画情報生成部
２０２ｆ  旅行商品情報送信部
２０２ｇ  予約部
２０２ｈ  表示情報生成部
２０２ｉ  出力制御部
２０４  通信制御インターフェース部
２０６  記憶部
２０６ａ  旅行商品情報データベース
２０６ｂ  旅行要素情報データベース
２０６ｃ  ネットワーク情報データベース
２０６ｄ  地図情報データベース
３００  ネットワーク
４００  ナビゲーション装置
４０２  制御部
４０２ａ  入力画面出力部
４０２ｂ  検索条件取得部
４０２ｃ  旅行商品情報検索部
４０２ｄ  施設情報検索部
４０２ｅ  施設間経路探索部
４０２ｆ  旅行計画情報生成部
４０２ｇ  旅行商品情報出力部
４０２ｈ  予約部
４０６  記憶部
４０６ａ  旅行商品情報データベース
４０６ｂ  旅行要素情報データベース
４０６ｃ  ネットワーク情報データベース
４０６ｄ  地図情報データベース
４０８  入出力制御インターフェース部
４１２  位置取得部
４１４  表示部
４１６  音声出力部
４１８  入力部
５００  位置発信装置
【図１】
2015181019.tif 000003
【図２】
2015181019.tif 000004
【図３】
2015181019.tif 000005
【図４】
2015181019.tif 000006
【図５】
2015181019.tif 000007
【図６】
2015181019.tif 000008
【図７】
2015181019.tif 000009
【図８】
2015181019.tif 000010
【図９】
2015181019.tif 000011
【図１０】
2015181019.tif 000012
【図１１】
2015181019.tif 000013
【図１２】
2015181019.tif 000014
【図１３】
2015181019.tif 000015
【図１４】
2015181019.tif 000016
【図１５】
2015181019.tif 000017
【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
目的地で絞り込みを行うことなく、旅行商品情報に含まれる非地理的要素に基づいて、検索条件を満たす上記旅行商品情報を検索する旅行商品情報検索手段と、
上記旅行商品情報検索手段により検索された上記旅行商品情報を出力する旅行商品情報出力手段と、
を備えたことを特徴とする、情報処理システム。
【請求項２】
上記旅行商品情報は、さらに価格情報を含み、
上記旅行商品情報検索手段は、上記価格および上記非地理的要素に基づいて、上記旅行商品情報に含まれる目的地で絞り込みを行うことなく、検索条件を満たす上記旅行商品情報を検索することを特徴とする、請求項１に記載の情報処理システム。
【請求項３】
コンピュータを、
目的地で絞り込みを行うことなく、旅行商品情報に含まれる非地理的要素に基づいて検索された、検索条件を満たす上記旅行商品情報を出力する旅行商品情報出力手段、
として機能させることを特徴とする情報処理プログラム。
【請求項４】
コンピュータを、
目的地で絞り込みを行うことなく、旅行商品情報に含まれる非地理的要素に基づいて、検索条件を満たす上記旅行商品情報を検索する旅行商品情報検索手段、
として機能させることを特徴とする情報処理プログラム。
【請求項５】
通信可能に接続された複数のコンピュータによって構成される情報処理システムであって、
目的地で絞り込みを行うことなく、旅行商品情報に含まれる非地理的要素に基づいて、検索条件を満たす上記旅行商品情報を検索する旅行商品情報検索手段と、
上記旅行商品情報検索手段により検索された上記旅行商品情報を出力する旅行商品情報出力手段と、
を備えた情報処理システムを機能させるために、
上記コンピュータの少なくとも１つを上記手段の少なくとも１つとして機能させるための情報処理プログラム。
【請求項６】
通信可能に接続された複数の情報処理装置によって、
目的地で絞り込みを行うことなく、旅行商品情報に含まれる非地理的要素に基づいて、検索条件を満たす上記旅行商品情報を検索する旅行商品情報検索手段と、
上記旅行商品情報検索手段により検索された上記旅行商品情報を出力する旅行商品情報出力手段と、
を備えた情報検索システムを構成するために、
上記手段の少なくとも１つを備えたことを特徴とする上記情報処理装置。
【請求項７】
コンピュータを、
目的地で絞り込みを行うことなく、旅行商品情報に含まれる非地理的要素に基づいて、検索条件を満たす上記旅行商品情報を検索する旅行商品情報検索手段、
上記旅行商品情報検索手段により検索された上記旅行商品情報を出力する旅行商品情報出力手段、
として機能させることを特徴とする情報処理プログラム。
【請求項８】
目的地で絞り込みを行うことなく、旅行商品情報に含まれる非地理的要素に基づいて、検索条件を満たす上記旅行商品情報を検索するステップと、
上記旅行商品情報検索手段により検索された上記旅行商品情報を出力するステップと、
を備えたことを特徴とする情報処理方法。
【手続補正３】
【補正対象書類名】明細書
【補正対象項目名】０００１
【補正方法】変更
【補正の内容】
【０００１】
本発明は、情報処理システム、情報処理プログラム、情報処理装置、および、情報処理方法に関する。
【手続補正４】
【補正対象書類名】明細書
【補正対象項目名】０１７１
【補正方法】変更
【補正の内容】
【０１７１】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ（登録商標）  Ｄｉｓｃ等の任意の「可搬用の物理媒体」を含むものとする。